(57)【要約】      （修正有）【課題】光、時間の本質を解明すること。また、その原理を重力の影響、質量と速度の逓減とともに、物質とエネルギーの関係式に導入すること。【解決手段】時間に重力の影響が及ぶものと考え、また、その重力の影響を、光速を基準として測る。このとき、光が進む距離に応じて、光速が一定となるように時間が発生し、光や物質の保有するエネルギーに応じて時間の進む距離が増えるものと考える。さらに、これらの時間、および光の要素をもとに、時間１からｔまでのそれぞれの逓減値における質量と速度と光速の積和を求めることによって、新たな物質とエネルギーの関係式を導き出す。【選択図】図１
2018121510.tif 000002
【特許請求の範囲】
【請求項１】
時間の進み方には、速度／光速の分だけ重力がかかっていること（理論上、重力が１以下となる場合もありうる）。
また、空間内を進む物質が、その保有エネルギーが大きい程、長い距離を進むのと同様、時間も、それを進む保有エネルギーの大きい物質ほど、長い距離、すなわち、長い時間を進むということ。さらに、時間が、光速を一定に維持すべく、進んだ距離とともに発生するものであるという、時間に関する新たな概念。
【請求項２】
上記の時間の概念をエネルギーと質量の関係に適用した場合、
（光速）の２乗×時間×質量＝エネルギー  の式で表されるということ。
つまり、従来の相対性理論；エネルギー＝質量×（光速）の２乗  の右辺に時間を乗じたものとなること。
【発明の詳細な説明】
【技術分野】物理【０００１】
【背景技術】
【０００２】まず、時間の概念の説明をする。時間を考えるに際して、時計盤をそのモデルとして用いる。（［図１］参照）時計盤の形状は、中心に軸があり、文字盤の周辺に時間を表す数字が記してあるが、時間は、二次元で表すと、まさに時計盤の様になっていると考えられる。つまり、軸の部分は回転せず、点の状態であり、過去も現在も未来もないが、あるいは、過去と現在と未来が凝縮された状態となっているが、周辺に近づくにつれ、時間の針の動く幅が大きくなっていく。これは、力の求心となる中心から離れ、重力が軽くなるにつれ、時間の進み方具合が大きくなるということを表している。【０００３】また、このことは、光速が常に一定であることの説明ともなる。そもそも、光は、その進んだ距離に関わらず、一定の光速を維持するという不可思議な現象を有している。移動する列車の中で、列車とともに移動する鏡に反射した光と、地上にある静止した鏡に反射した光は、その移動距離の差にもかかわらず、同時に出発し、同時に終点に到着することは、周知の事実である。つまり、光は、その進む距離に関わらず、一定の速度を保つということである。このことから、光が進む場合、時間は延び縮みするとされている。すなわち、光の進んだ距離＝時間×光速、つまり、時間＝光の進んだ距離／光速が成り立つものと考えられている。この点について、本論では、光には、その進んだ距離に応じて多くの時間が発生するものと想定し、エネルギーと物質の関係について、理論を展開していく。【０００４】上述の様に、時計盤に照らし合わせて考えると、光の時間に関する時計の針が、円の周辺に近づくにつれ、長い距離を進むにもかかわらず、針の内側と比べ、進んだ時間そのものは変わらないことや、針の内側の進む距離が針の先端の進む距離に比べると少ないことなどにも表れていることがわかる。さらに、わかりやすい例えは、時間が水のようなものであるという発想である。時間の内在する空間を、水の入った３次元の立方体で考え、物体が水面、または水中を進む際に生じる波打ちを時間の発生とみなす。（［図２］参照）時間とは、完全に静止している場合には流れないが、ほんのわずかであっても、動いたり進んだりすると生成される、水の波打ち、あるいは流れのようなものであるという仮説である。物体が動いたり進んだりした分だけ波打つ水の様に、物体が動いたり進んだりすると、その分だけ時間が発生する。また、水面よりは水中の方が、多くの重力がかかっているため、物質は進みにくく、その速度も遅くなる。すなわち、時間も重力のかかった分だけ、その進み具合や速度が遅くなることを意味している。つまり、水面での物質の動きが、重力のかかっていない光速の状態だとすると、水中での物質の動きは、重力のかかった光速以下の速度となっている。ちなみに、光速が一定であるという現象は、水面上での物質の動きと、時計盤の針の動き方とを重ね合わせてみると、理解できる。ともに、重力がかかっていない状態にあるが、円の内側と外側という具合に、同じ時間内での針の進み具合が異なる。しかも、両者は距離が違っても、同じ時間の経過を示している。この差は、ともに無重力という条件下にあることを考慮すれば、保有エネルギーの差であるとしか考え���れない。保有エネルギーの多い程、長い距離を進む。つまり、長い時間を経過しているのである。以上、これらの、時計盤と水の立方体のモデルから、時間のもつ特異な性質を想定した。それをもとに、次は、エネルギーと質量の関係について考える。【０００５】まず、先述の光と時間に関する原則を確認しておく。
光の進んだ距離＝時間×光速
光の進んだ距離／時間＝光速
光の進んだ距離／光速＝時間  が成り立つものとする。次に、エネルギーと物質の関係を式にすると、
（物質の進む速度×１／ｇ）×（物質が進むのにかかった時間×１／ｇ）×質量＝エネルギー
と表すことができる。この式は、移動する時間のそれぞれの瞬間をとらえ、そこに静止している物質の保有エネルギーの総量を表したものであると考えることもできる。質量＝エネルギーであるといわれるが、さらに、速度×時間＝距離という、いわゆる時間および空間の総量として示されているものの中に、質量というエネルギーをもった物質が連続的に存在し続けているという考えのもと、この式は構成されている。なお、理解の便宜上、速度、距離と表しているが、これは、素粒子等の運動・振動の速度、移動距離にも応用できるものとする。また、このときのｇ＝物質の進む速度／光速、すなわち、物質にかかっている重力である。１／ｇをかけることによって、物質が実際に進むのにかかったエネルギーを算出している。この式に、上記の光と時間に関する原則を代入して計算していくと、以下のようになる。【０００６】物質が進む速度×（光速／物質の進む速度）×（物質が進んだ距離／物質の進む速度）×（光速／物質の進む速度）×質量＝エネルギー
さらに、上の式をまとめると、
（光速／物質の進む速度）の２乗×物質が進んだ距離×質量＝エネルギー  すなわち、
（１／ｇ）の２乗×物質が進んだ距離×質量＝エネルギー  となる。
このとき、物質が進んだ距離＝物質の進む速度×物質が進んだ時間
＝（光速×ｇ）×（光の進んだ時間×ｇ）
光の進んだ距離＝時間×光速              であることから、
物質が進んだ距離＝（光速×ｇ）×（時間×光速）×ｇ  となり、上の式に代入すると、
（１／ｇ）の２乗×（光速）の２乗×時間×ｇの２乗×質量＝エネルギー  すなわち、
（光速）の２乗×時間×質量＝エネルギー
と表すことができる。このとき、時間＝光の進む時間であり、重力（ｇ）がかかっていない状態で、その物質が進んだであろう時間、すなわち、物質が進むのにかかった時間×１／ｇを表す。上の式は、特殊相対性理論における、Ｅ０＝ｍｃの２乗の右辺に時間をかけたものである。Ｅ０＝ｍｃの２乗は、質量ｍの物体、光速ｃ、静止エネルギーＥ０を表し、質量が存在するだけで生じるエネルギーを表している。しかし、本論では、存在するということ自体、その物体が時間の経過の中にあることを意味し、静止している時間というものがあればともかく、それがこの世界にない以上、時間の要素は、エネルギーを考えるうえで、不可欠のものであるということができる。【０００７】以上より、従来の特殊相対性理論に、時間の新たな概念の要素を取り込み、物質とエネルギーの式をもとに計算しなおした場合、時間の要素が入ることがわかった。
【発明の概要】
時間の概念を更新することによる、相対性理論の更新。
【発明が解決しようとする課題】時間に重力が及ぶものと考え、また、その重力は光速を基準として測る。さらに、光が進む距離に応じて、光速が一定となるように時間が発生し、物質の保有するエネルギーに応じて時間の進む距離が増えるものと考え、それらを相対性理論に取り込んで考える。
【課題を解決するための手段】
【０００８】時間の進み方には、速度／光速の分だけ重力がかかっていること（理論上、重力が１以上となる場合もありうる）。
また、空間内を進む物質が、その保有エネルギーが大きい程、長い距離を進むのと同様、時間も、それを進む保有エネルギーの大きい物質ほど、長い距離、すなわち、長い時間を進むということ。さらに、時間が、光速を一定に維持すべく、進んだ距離とともに発生するものであるという、時間に関する新たな概念。
上記の時間の概念をエネルギーと質量の関係に適用した場合、
（光速）の２乗×時間×質量＝エネルギー  の式で表されるということ。
つまり、従来の相対性理論；エネルギー＝質量×（光速）の２乗  の右辺に時間を乗じたものとなること。
【発明の効果】
【０００９】時間の概念を理解し、そこからのアプローチにより、相対性理論を理解し、さらに、従来の相対性理論より、エネルギーをより正確に測ることができるという点。
【図面の簡単な説明】
【００１０】
【図１】時計の時間モデル
【図２】水の時間モデル
【発明を実施するための形態】
【００１１】エネルギーの正確な測定
【産業上の利用可能性】
【００１２】基礎研究への応用、エネルギーの正確な測定
【図１】
2018121510.tif 000003
【図２】
2018121510.tif 000004
【手続補正書】
【提出日】平成29年2月5日(2017.2.5)
【手続補正１】
【補正対象書類名】特許請求の範囲
【補正対象項目名】全文
【補正方法】変更
【補正の内容】
【特許請求の範囲】
【請求項１】
時間の進み方には、速度／光速の分だけ重力の影響が及んでいるということ（理論上、重力が１以下となる場合もありうる）。また、空間内を進む物質が、その保有エネルギーが大きい程、長い距離を進むのと同様、時間も、それを進む保有エネルギーの大きい物質ほど、長い距離、すなわち、長い時間を進むということ、さらに、時間が、進んだ距離とともに発生するものであり、質量を有する重力下の物質についても、同じことが言えるという、時間に関する新たな概念。
【請求項２】
上記の時間の概念による重力の影響、および、質量と速度の逓減を物質とエネルギーの関係式に導入することにより新たに発見された計算式。
【手続補正２】
【補正対象書類名】図面
【補正対象項目名】全図
【補正方法】変更
【補正の内容】
【図１】
2018121510.tif 000005
【図２】
2018121510.tif 000006
【図３】
2018121510.tif 000007
【図４】
2018121510.tif 000008
【図５】
2018121510.tif 000009
【手続補正書】
【提出日】平成29年2月5日(2017.2.5)
【手続補正１】
【補正対象書類名】明細書
【補正対象項目名】００１０
【補正方法】変更
【補正の内容】
【００１０】さらに、［０００６］の［数２］質量とエネルギーの関係式に、質量と速度の逓減という要素を取り入れて考えてみる。なぜなら、物質は、最終的には、そのエネルギーを失うことで、徐々にその質量を失い、やがては運動・進行を停止するためである。まず、質量についてであるが、質量を縦軸、物質が進む時間を横軸にとると、［図３］の関係が成立する。このとき、初めの質量はｍ１、ｘの時点での質量はｍｘ、物質が進む時間の総計はｔ、ｘの時点での物質の質量はｍｘで表されるものとする。すると、ｘの時点での質量ｍｘは、次の式で表すことができる。
【手続補正２】
【補正対象書類名】明細書
【補正対象項目名】０００９
【補正方法】変更
【補正の内容】
【０００９】このとき、時間Ｔ＝光の進む時間であり、重力の影響（ｇ）がない状態で、その物質が進んだであろう時間、すなわち、物質が進むのにかかった時間×１／ｇを表す。確かに、先述の通り、いかなる重力下における時計も、その進み具合に関し、同じ時間の経過を示す。しかし、我々の時計で計った場合、光の時間Ｔの進み具合は、無重下の時計と同じではないのである。また、上の式が、特殊相対性理論における、Ｅ＝ｍｃの２乗ではなく、光速ｃの一乗に時間Ｔをかけたものであることも重要である。特殊相対性理論におけるＥ＝ｍｃの２乗は、質量ｍの物体、光速ｃ、静止エネルギーＥを表し、質量が存在するだけで生じるエネルギーを表している。しかし、本論では、存在するということ自体、その物体が時間の経過の中にあるものと考える。よって、静止している時間というものがあればともかく、それがこの世界にない以上、時間の要素は、エネルギーを考えるうえで、不可欠のものであるということができるのである。三次元の質量に、一次元の光速と、時間を乗じると、距離を伴った立体の時空間ができるわけである。その空間内は、全て質量ｍとなっている。すなわち、その空間は、エネルギーの軌跡となっているわけである。
【手続補正書】
【提出日】平成29年2月5日(2017.2.5)
【手続補正１】
【補正対象書類名】明細書
【補正対象項目名】全文
【補正方法】変更
【補正の内容】
【発明の詳細な説明】
【技術分野】物理【０００１】
【背景技術】
【０００２】まず、時間の概念の説明をする。時間を考えるに際して、時計盤をそのモデルとして用いる。（［図１］参照）時計盤の形状は、中心に軸があり、文字盤の周辺に時間を表す数字が記してあるが、時間は、二次元で表すと、まさに時計盤の様になっていると考えられる。つまり、軸の部分は回転せず、点の状態であり、過去も現在も未来もないが、あるいは、過去と現在と未来が凝縮された状態となっているが、周辺に近づくにつれ、時間の針の動く幅が大きくなっていく。これは、力の求心となる中心から離れ、重力が軽くなるにつれ、時間の進み具合が大きくなるということを表している。【０００３】また、このことは、光速が常に一定であることの説明ともなる。そもそも、光は、その進んだ距離に関わらず、一定の光速を維持するという不可思議な現象を有していると言われている。移動する列車の中で、列車とともに移動する鏡に反射した光と、地上にある静止した鏡に反射した光は、その移動距離の差にもかかわらず、同時に出発し、同時に終点に到着することは、周知の事実である。つまり、光は、その進む距離に関わらず、一定の速度を保ち、それが進む場合、延び縮みするとされている。すなわち、光の進んだ距離＝時間×光速、つまり、時間＝光の進んだ距離／光速が成り立つものと考えられているのである。この点について、本論では、光には、その進んだ距離に応じて多くの時間が発生するものと想定し、エネルギーと物質の関係について、理論を展開していく。【０００４】上述の内容を、時計盤に照らし合わせて考えると、光の有する特殊性は、時計の針が、円の周辺に近づくにつれ、長い距離を進むにもかかわらず、針の内側と比べ、進んだ時間そのものが変わらないことや、針の内側の進む距離が針の先端の進む距離に比べると少ないことなどにも表れていることがわかる。【０００５】さらに、わかりやすい例えは、時間が水のようなものであるという発想である。時間の内在する空間を、水の入った３次元の立方体で考え、物体が水面、または水中を進む際に生じる波打ちを時間の発生とみなす。（［図２］参照）時間とは、完全に静止している場合には流れないが、ほんのわずかであっても、動いたり進んだりすると生成される、水の波打ち、あるいは流れのようなものであるという仮説である、物体が動いたり進んだりした分だけ波打つ水の様に、物体が動いたり進んだりすると、その分だけ時間が発生する。また、水面よりは水中の方が、多くの重力がかかっているため、物質は進みにくく、その速度も遅くなる。すなわち、時間も重力のかかった分だけ、その進み具合や速度が遅くなることを意味している。つまり、水面での物質の動きが、重力のかかっていない光速の状態だとすると、水中での物質の動きは、重力のかかった光速以下の速度となっているのである。ちなみにいわゆる、光速が一定であるという現象は、水面上での物質の動きと、時計盤の針の動き方とを重ね合わせてみると、理解できる。ともに、重力がかかっていない状態にあるが、光は円の内側と外側という具合に、同じ時間内での針の進み具合が異なる。しかも、両者は距離が違っても、同じ時間の経過を示している、この差は、ともに無重力という条件下にあることを考慮すれば、保有エネル���ーの差であるとしか考えられない。光は保有エネルギーの多い程、長い距離を進む。つまり、長い時間を経過しているのである。以上、これらの、時計盤と水の立方体のモデルから、時間のもつ特異な性質を想定した。それをもとに、次は、エネルギーと質量の関係について考える。【０００６】まず、エネルギーと物質の関係を式にすると、
【数２】
2018121510.tif 000010
と表すことができる。この式は、移動する時間のそれぞれの瞬間をとらえ、そこに静止している物質の保有エネルギーの総量を表したものであると考えることもできる。質量＝エネルギーであるといわれるが、さらに、速度×時間＝距離という、いわゆる時間および空間の総量として示されているものの中に、質量というエネルギーをもった物質が連続的に存在し続けているという考えのもと、この式は構成されている。なお、理解の便宜上、速度、距離と表しているが、これは、素粒子等の運動・振動の速度、移動距離にも応用できるものとする。また、このときのｇ＝物質の進む速度／光速、すなわち、物質にかかっている重力の影響を表す。１／ｇをかけることによって、物質が実際に進むのにかかったエネルギーを算出している。この式に、上記の光と時間に関する原則を代入して計算していくと、以下のようになる。【０００７】
【数３】
2018121510.tif 000011
さらに、上の式をまとめると、
【数４】
2018121510.tif 000012
すなわち、
（１／ｇ）の２乗×物質が進んだ距離×質量＝エネルギーとなる。【０００８】
【数５】
2018121510.tif 000013
であることから、
これと、［０００５］［数１］の光と時間に関する法則を上の式に代入すると、
エネルギー＝質量×光速×時間
2018121510.tif 000014
と表すことができる。
計算の過程は以下のとおりである。
【数６】
2018121510.tif 000015
【０００９】このとき、時間Ｔ＝光の進む時間であり、重力の影響（ｇ）がない状態で、その物質が進んだであろう時間、すなわち、物質が進むのにかかった時間×１／ｇを表す。上の式は、特殊相対性理論における、Ｅ＝ｍｃの２乗ではなく、光速ｃの一乗に時間Ｔをかけたものである。特殊相対性理論におけるＥ＝ｍｃの２乗は、質量ｍの物体、光速ｃ、静止エネルギーＥを表し、質量が存在するだけで生じるエネルギーを表している。しかし、本論では、存在するということ自体、その物体が時間の経過の中にあるものと考える。よって、静止している時間というものがあればともかく、それがこの世界にない以上、時間の要素は、エネルギーを考えるうえで、不可欠のものであるということができるのである。三次元の質量に、一次元の光速と、時間を乗じると、距離を伴った立体の時空間ができるわけである。その空間内は、全て質量ｍとなっている。すなわち、その空間は、エネルギーの軌跡となっているわけである。【００１０】さらに、［０００６］の［数２］質量とエネルギーの関係式に、質量と速度の逓減という要素を取り入れて考えてみる。なぜなら、物質は、最終的には、そのエネルギーを失うことで、徐々にその質量を失い、やがては運動・進行を停止するためである、まず、質量についてであるが、質量を縦軸、物質が進む時間を横軸にとると、［図３］の関係が成立する。このとき、初めの質量はｍ１、ｘの時点での質量はｍｘ、物質が進む時間の総計はｔ、ｘの時点での物質の質量はｍｘで表されるものとする。すると、ｘの時点での質量ｍｘは、次の式で表すことができる。
【数７】
2018121510.tif 000016
次は、速度についてであるが、速度を縦軸、物質が進む時間を横軸にとると、［図４］の関係が成立する。このとき、初めの速度はｖ１、ｘの時点での速度はｖｘ、物質が進む時間の総計はＴ、ｘの時点での物質の速度はｖｘで表されるものとする。すると、ｘの時点での速度ｖｘは、次の式で表すことができる。
【数８】
2018121510.tif 000017
【００１１】さて、これらの式をもとに、質量とエネルギーの関係を考え直してみると、今回は、［０００６］の［数２］のような関係式、（物質の進む速度×１／ｇ）×（物質が進むのにかかった時間×１／ｇ）×質量＝エネルギー
ではなく、［数９］のように、シグマを用い、物質の進む時間を１からＴまでとし、それぞれの時点における質量と速度の積の和を求めるのが適当であることがわかる。
【数９】
2018121510.tif 000018
上の式に［数７］、［数８］に示す質量ｍｘ、及び速度ｖｘの関係式を代入し、計算すると次のようになる。
【数１０】
2018121510.tif 000019
【００１２】すなわち、［数１０］に示した式は、次のように表すことができることがわかる。
【数１１】
2018121510.tif 000020
この式は、初期の質量ｍ１、および初期の速度ｖ１に、（１−ｔｘ／ｔ）の２乗、すなわち、物質が進む時間の総計から物質が進んだｘまでの時間を引いたもの；ｔ−ｔｘのｔに対する割合を２乗して、それを掛けたものである。このことは、［数５］の式の左辺、つまり、時間１からｔまでのそれぞれの時間の逓減値における質量と速度の積和が、未だ逓減を受けていない質量と速度の初期値の積；ｍ１ｖ１に、ｘ時点でその物質に残っている時間の関数を乗じたものに等しいことを示している。その意味するところは、すなわち、当式が、ｘの時点における当物質の内部に残っているエネルギー、つまり、保有エネルギーの時間１からｔまでの総和であるということである（［図５］参照）。さらに、時間の関数が２乗となっているのは、時間が二次元、つまり、平面で表されているためである。時間という性質の備わった平面と考えることもできる。［０００９］と同様、そこに一次元の線としての速度を乗じることによって、距離を伴った立体としての空間ができるわけである。また、その空間内は、全て質量ｍとなっている。すなわち、この空間もまた、エネルギーの軌跡となっているわけである。【００１３】しかし、［００１２］の［数１１］で得られた式には、重力の影響ｇという要素が取り入られていない。上の［００１１］の［数９］の式、およびこの式は、重力のない状態におけるエネルギーの計算式であるともいえる。しかし、我々は、この世界に適用できる式を求める必要がある。そこで、以下、ｇ＝物質の進む速度／高速として、計算する。但し、当計算においては、光速についても、その物質の消滅までの存続期間にわたって逓減してゆくものと考える。実際、光も、かなりの期間、一定の光速を有しはするが、長い距離を走行し、遂にはその保有するエネルギーを失って消滅することから、理論上、このように考えることが妥当であろう。
【数１２】
2018121510.tif 000021
ここで、時間にかかっている重力の影響も考慮する必要がある。よって、上の式は、
2018121510.tif 000022
となる。【００１４】さて、一方で、［０００６］の［数２］（物質の進む速度×１／ｇ）×（物質が進むのにかかった時間×１／ｇ）×質量＝エネルギーの式から得られた、［０００８］の［数６］エネルギー＝質量×光速×時間、という式には、逓減の要素が取り入れられていない、そこで、［００１０］の［数７］、［数８］の関係式を代入し、以下、計算する。
【数１３】
2018121510.tif 000023
【００１５】さて、ここで、［００１３］の［数１２］、［００１４］の［数１３］で得られた式の意味を確認する。得られた２式は、ともに、エネルギー＝質量（初期値）×光速×（１−無重力にて物質が進んだ時間）ｘ／無重力にて物質の進む時間）の２乗の積和となっており、一致している。これは、物質に残された時間のエネルギー分、すなわち、その物質がｘの時点で保有しているエネルギーを表しているものといえる。また、この式から、物質は時間の経過に従って、徐々に、その保有するエネルギーを失っていくということがわかる。【００１６】また、計算結果を得ていえることは、あらゆる物質は、その保有エネルギーの速度として、光の速度を与えられているということである。確かに、光速で移動できるのは光だけである。しかし、我々、または、我々の周りの物質は、その質量や存続時間がどのようであれ、また、重力の影響を受けているとはいえ、その保有エネルギーの全てにおいて、潜在的に光速、すなわち、光の特性を有しているのである。言い換えると、我々を含め、あらゆる物質に内在するエネルギーは、光のエネルギーと何ら変わらないということなのである。【００１７】一方、物質の保有するエネルギーは、初期値の光速が一定であることから、その初期の質量ｍ１と、存続時間に比例しているということがわかる。存続時間Ｔ＝ｔ×１／ｇ、つまり、その物質の進む時間×１／ｇ、あるいは、Ｔ＝ｔ×ｃ／ｖ＝その物質の進む時間×光速／その物質の進む速度、であることから、その物質の進む速度ｖの値が小さければそれだけ、存続時間Ｔは大きくなる。また、光の存続時間＝光の進む距離／光速、つまり、Ｔ＝Ｓ／ｃであることから、光の進む距離Ｓ、すなわち、光の保有エネルギーが大きければそれだけ、光の存続期間Ｔも大きくなり、Ｔ×ｇ＝ｔであるところの物質の存続時間ｔも大きくなる。このことは、物質の保有エネルギーがその存続期間ｔの大きさに比例していることを意味している。（［数１４］参照）
【数１４】
2018121510.tif 000024
【００１８】この点、光の進む距離、すなわち、光の存続期間については、その保有エネルギーが唯一考えられる原因であることは先述した、そして、物質に関しても、その存続期間と保有エネルギーの関係に関して、同じことが言えることが証明された。さらに、光速を備え、重力下にあり、質量のある物質に関して理論を展開していくと、物質には光の性質がある、すなわち、光に限らず、重力下にある物質に関しても、その運動とともに時間が発生しているということが言えるのである。例えば、質量＝０だとすると、エネルギー＝光速×（１−光の進んだ時間／光の進む時間）の積和という式が成り立つ。このことは、エネルギー／光速≒時間であることを示している。つまり、時間とは、速度（すなわち、光速）から転じた保有エネルギーの１つの形態であると考えられるのである。物質の場合、保有エネルギーが質量×速度（すなわち、光速）から転じることとなるため、発生する時間は、質量の分だけ減少することになる。光には、その速度を通じて、また、物質には、質量とその速度（すなわち、光速）を通じて、時間が発生しているのである。【００１９】以上、時間の新概念、物質とエネルギーの関係式に重力と逓減の要素を取り入れた、保有エネルギーの計算式について論じた。
【発明の概要】
時間の新概念による、重力の影響と、質量と速度の逓減とを物質とエネルギーの関係式に取り入れることによる、保有エネルギーの計算式の獲得。
【発明が解決しようとする課題】光、時間の本質を解明すること。また、その原理を重力の影響、質量と速度の逓減とを物質とエネルギーの関係式に導入すること。
【課題を解決するための手段】
【００２０】時間に重力の影響が及ぶものと考え、また、その重力の影響を、光速を基準として測る。このとき、光が進む距離に応じて、光速が一定となるように時間が発生し、光や物質の保有するエネルギーに応じて時間の進む距離が増えるものと考える。また、これらの時間、および光の要素をもとに、時間１からｔまでのそれぞれの逓減値における質量と速度の積和を求めることによって、新たな物質とエネルギーの関係式を導き出す。
【発明の効果】
【００２１】時間の概念の理解。また、重力の影響、質量と速度の逓減を物質とエネルギーの関係式に導入することによる、新たな計算式の発見。さらに、これらの式を用いた、より正確なエネルギーの測定。
【図面の簡単な説明】
【００２２】
【図１】時計の時間モデル
【図２】水の時間モデル
【図３】質量の逓減のグラフ
【図４】速度の逓減のグラフ
【図５】保有エネルギー量と時間のグラフ
【発明を実施するための形態】
【００２３】時間の概念、および、物質とエネルギーの関係の理解、エネルギーの正確な測定
【産業上の利用可能性】
【００２４】基礎研究・研究開発への応用、エネルギーの正確な測定
【手続補正書】
【提出日】平成29年3月21日(2017.3.21)
【手続補正１】
【補正対象書類名】明細書
【補正対象項目名】全文
【補正方法】変更
【補正の内容】
【発明の詳細な説明】
【技術分野】
【０００１】物理
【背景技術】
【０００２】まず、時間の概念の説明をする。時間を考えるに際して、時計盤をそのモデルとして用いる。（［図１］参照）時計盤の形状は、中心に軸があり、文字盤の周辺に時間を表す数字が記してあるが、時間は、二次元で表すと、まさに時計盤の様になっていると考えられる。つまり、軸の部分は回転せず、点の状態であり、過去も現在も未来もないが、あるいは、過去と現在と未来が凝縮された状態となっているが、周辺に近づくにつれ、時間の針の動く幅が大きくなっていく。これは、力の求心となる中心から離れ、重力が軽くなるにつれ、時間の進み具合が大きくなるということを表している。【０００３】また、このことは、光速が常に一定であることの説明ともなる。そもそも、光は、その進んだ距離に関わらず、一定の光速を維持するという不可思議な現象を有していると言われている。移動する列車の中で、列車とともに移動する鏡に反射した光と、地上にある静止した鏡に反射した光は、その移動距離の差にもかかわらず、同時に出発し、同時に終点に到着することは、周知の事実である。つまり、光は、その進む距離に関わらず、一定の速度を保ち、それが進む場合、速度を一定に保つべく、時間が延び縮みするとされている。すなわち、光の進んだ距離＝時間×光速、つまり、時間＝光の進んだ距離／光速  が成り立つものと考えられているのである。この点について、本論では、光には、その進んだ距離に応じて多くの時間が発生するものと想定し、エネルギーと物質の関係について、理論を展開していく。【０００４】上述の内容を、時計盤に照らし合わせて考えると、光の有する特殊性は、時計の針が、円の周辺に近づくにつれ、長い距離を進むにもかかわらず、針の先の経過時間を針の内側と比べても、進んだ時間そのものが変わらないことや、針の内側の進む距離が針の先端の進む距離に比べると少ないことなどにも表れていることがわかる。【０００５】さらに、わかりやすい例えは、時間が水のようなものであるという発想である。時間の内在する空間を、水の入った３次元の円錐体で考え、物体が水面、または水中を進む際に生じる波打ちを時間の発生とみなす。（［図２］参照）時間とは、完全に静止している場合には流れないが、ほんのわずかであっても、動いたり進んだりすると生成される、水の波打ち、あるいは流れのようなものであるという仮説である。物体が動いたり進んだりした分だけ波打つ水の様に、物体が動いたり進んだりすると、その分だけ時間が発生する。また、水面よりは水中の方が、多くの重力がかかっているため、物質は進みにくく、その速度も遅くなる。すなわち、時間も重力のかかった分だけ、その進み具合や速度が遅くなることを意味している。つまり、水面での物質の動きが、重力のかかっていない光速の状態だとすると、水中での物質の動きは、重力のかかった光速以下の速度となっているのである。ちなみに、いわゆる、光速が一定であるという現象は、水面上での物質の動きと、時計盤の針の動き方とを重ね合わせてみると、理解できる。ともに、重力がかかっていない状態にあるが、光は円の内側と外側という具合に、同じ時間内での針の進み具合が異なる。しかも、両者は距離が違っても、同じ時間の経過を示している。この差は、とも��無重力という条件下にあることを考慮すれば、保有エネルギーの差であるとしか考えられない。光は保有エネルギーの多い程、長い距離を進む。つまり、長い時間を経過しているのである。以上、これらの、時計盤と水の立方体のモデルから、時間のもつ特異な性質を想定した。それをもとに、次は、エネルギーと質量の関係について考える。【０００６】まず、エネルギーと物質の関係を式にすると、
【数１】
2018121510.tif 000025
と表すことができる。この式は、移動する時間のそれぞれの瞬間をとらえ、そこに静止している物質の保有エネルギーの総量を表したものであると考えることもできる。質量＝エネルギーであるといわれるが、さらに、速度×時間＝距離という、いわゆる時間および空間の総量として示されているものの中に、質量というエネルギーをもった物質が連続的に存在し続けているという考えのもと、この式は構成されている。なお、理解の便宜上、速度、距離と表しているが、これは、素粒子等の運動・振動の速度、移動距離にも応用できるものとする。また、このときのｇ＝物質の進む速度／光速、すなわち、物質にかかっている重力の影響を表す。１／ｇをかけることによって、物質が実際に進むのにかかったエネルギーを算出している。この式に、上記の光と時間に関する原則を代入して計算していくと、以下のようになる。【０００７】
【数２】
2018121510.tif 000026
さらに、上の式をまとめると、
【数３】
2018121510.tif 000027
すなわち、
（１／ｇ）の２乗×物質が進んだ距離×質量＝エネルギー  となる。【０００８】
【数４】
2018121510.tif 000028
であることから、
これと、［０００６］［数１］の光と時間に関する法則を上の式に代入すると、
エネルギー＝質量×光速×時間
【数５】
2018121510.tif 000029
と表すことができる。
計算の過程は以下のとおりである。
【数６】
2018121510.tif 000030
【０００９】このとき、時間Ｔ＝光の進む時間であり、重力の影響（ｇ）がない状態で、その物質が進んだであろう時間、すなわち、物質が進むのにかかった時間×１／ｇを表す。確かに、先述の通り、いかなる重力下における時計も、その進み具合に関し、同じ時間の経過を示す。しかし、我々の時計で計った場合、光の時間Ｔの進み具合は、重力下の時計と同じではないのである。また、上の式が、特殊相対性理論における、Ｅ＝ｍｃの２乗ではなく、光速ｃの一乗に時間Ｔをかけたものであることも重要である。特殊相対性理論におけるＥ＝ｍｃの２乗は、質量ｍの物体、光速ｃ、時点０における静止エネルギーＥを表し、質量が存在するだけで観測されるエネルギーを表している。しかし、本論では、存在するということ自体、その物体が時間の経過の中にあるものと考える。よって、静止している時間というものがあればともかく、それがこの世界にない以上、時間の要素は、エネルギーを考えるうえで、不可欠のものであるということができるのである。三次元の質量に、一次元の光速と、時間を乗じると、距離を伴った立体の時空間ができるわけである。その空間内は、全て質量ｍとなっている。すなわち、その空間は、エネルギーの軌跡となっているわけである。【００１０】さらに、［０００６］の［数１］質量とエネルギーの関係式に、質量と速度の逓減という要素を取り入れて考えてみる。なぜなら、物質は、最終的には、そのエネルギーを失うことで、徐々にその質量を失い、やがては運動・進行を停止するためである。まず、質量についてであるが、質量を縦軸、物質が進む時間を横軸にとると、［図３］の関係が成立する。このとき、初めの質量はｍ１、ｘの時点での質量はｍｘ、物質が進む時間の総計はｔ、ｘの時点での時間はｔｘで表されるものとする。すると、ｘの時点での質量ｍｘは、次の式で表すことができる。
【数７】
2018121510.tif 000031
次は、速度についてであるが、速度を縦軸、物質が進む時間を横軸にとると、［図４］の関係が成立する。このとき、初めの速度はｖ１、ｘの時点での速度はｖｘ、物質が進む時間の総計はｔ、ｘの時点での時間はｔｘで表されるものとする。すると、ｘの時点での速度ｖｘは、次の式で表すことができる。
【数８】
2018121510.tif 000032
【００１１】さて、これらの式をもとに、質量とエネルギーの関係を考え直してみると、今回は、［０００６］の［数１］のような関係式、（物質の進む速度×１／ｇ）×（物質が進むのにかかった時間×１／ｇ）×質量＝エネルギー
ではなく、［数９］のように、Σを用い、物質の進む時間を１からＴまでとし、それぞれの時点における質量と速度の積の和を求めるのが適当であることがわかる。
【数９】
2018121510.tif 000033
上の式に、［数７］、［数８］に示す質量ｍｘ、および速度ｖｘの関係式を代入し、計算すると、次のようになる。
【数１０】
2018121510.tif 000034
【００１２】すなわち、［数９］に示した式は、次のように表すことができることがわかる。
【数１１】
2018121510.tif 000035
この式は、初期の質量ｍ１、および初期の速度ｖ１に、（１−ｔｘ／ｔ）の２乗、すなわち、物質が進む時間の総計から物質が進んだｘまでの時間を引いたもの；ｔ−ｔｘのｔに対する割合を２乗して、それを掛けたものである。このことは、［数９］の式の右辺に［数７］、［数８］を代入したもの、つまり、時間１からｔまでのそれぞれの時間の逓減値における質量と速度の積和が、未だ逓減を受けていない質量と速度の初期値の積；ｍ１ｖ１に、ｘの時点でその物質に残っている時間の因数を乗じたものに等しいことを示している。その意味するところは、すなわち、当式が、ｘの時点における当物質の内部に残っているエネルギー、つまり、保有エネルギーの時間１からｔまでの総和であるということである（［図５］参照）。さらに、時間の関数が２乗となっているのは、時間が二次元、つまり、平面で表されているためである。時間という性質の備わった平面と考えることもできる。［０００９］と同様、そこに一次元の線としての速度を乗じることによって、距離を伴った立体としての空間ができるわけである。また、その空間内は、全て質量ｍとなっている。すなわち、この空間もまた、エネルギーの軌跡となっているわけである。【００１３】しかし、［００１２］の［数１１］で得られた式には、重力の影響ｇという要素が取り入られていない。上の［００１１］の［数１０］の式、およびこの式は、重力のない状態におけるエネルギーの計算式であるともいえる。しかし、我々は、この世界に適用できる式を求める必要がある。そこで、以下、ｇ＝物質の進む速度／光速として、計算する。但し、当計算においては、光速についても、その消滅までの存続期間にわたって逓減してゆくものと考える。実際、光も、かなりの期間、一定の光速を有しはするが、長い距離を走行し、遂にはその保有するエネルギーを失って消滅することから、理論上、このように考えることが妥当であろう。
【数１２】
2018121510.tif 000036
ここで、時間にかかっている重力の影響も考慮する必要がある。よって、上の式は、
2018121510.tif 000037
【００１４】さて、一方で、［０００６］の［数１］（物質の進む速度×１／ｇ）×（物質が進むのにかかった時間×１／ｇ）×質量＝エネルギーの式から得られた、［０００８］の［数５］エネルギー＝質量×光速×時間、という式には、逓減の要素が取り入れられていない。そこで、［００１０］の［数７］、［数８］の関係式を代入し、以下、計算する。
【数１３】
2018121510.tif 000038
【００１５】さて、ここで、［００１３］の［数１２］、［００１４］の［数１３］で得られた式の意味を確認する。得られた２式は、ともに、エネルギー＝質量（初期値）×光速×（１−無重力にて物質が進んだ時間ｘ／無重力にて物質の進む時間）の２乗の積和となっており、一致している。これは、物質に残された時間に対応するエネルギーの分量、すなわち、その物質がｘの時点で保有しているエネルギーを表しているものといえる。また、この式から、物質は時間の経過に従って、徐々に、その保有するエネルギーを失っていくということがわかる。【００１６】また、計算結果を得ていえることは、あらゆる物質は、その保有エネルギーの速度として、光の速度を与えられているということである。確かに、光速で移動できるのは光だけである。しかし、我々、または、我々の周りの物質は、その質量や存続時間がどのようであれ、また、重力の影響を受けているとはいえ、その保有エネルギーの全てにおいて、潜在的に光速、すなわち、光の特性を有しているのである。言い換えると、我々を含め、あらゆる物質に内在するエネルギーは、光のエネルギーと何ら変わらないということなのである。また、その時間に関しても、Ｔ、ならびにＴｘという具合に、物質ではなく光の時間の基準が用いられており、あたかも、そのエネルギー計算式の態様は、「質量を伴った」光のエネルギーの計算式の如きである。これらのことから、物質には光の性質がある、あるいは、物質は質量を伴う「光」である可能性が非常に高いと言えるのである。【００１７】一方、物質の保有するエネルギーは、初期値の光速が一定であることから、その初期の質量ｍ１と、存続時間に比例しているということがわかる。存続時間Ｔ＝ｔ×１／ｇ、つまり、その物質の進む時間×１／ｇ、あるいは、Ｔ＝ｔ×ｃ／ｖ＝その物質の進む時間×光速／その物質の進む速度、であることから、その物質の進む速度ｖの値が小さければそれだけ、存続時間Ｔは大きくなる。また、光の存続時間＝光の進む距離／光速、つまり、Ｔ＝Ｓ／ｃであることから、光の進む距離Ｓ、すなわち、光の保有エネルギーが大きければそれだけ、光の存続期間Ｔも大きくなり、Ｔ×ｇ＝ｔであるところの物質の存続時間ｔも大きくなる。このことは、物質の保有エネルギーがその存続期間ｔの大きさに比例していることを意味している。（［数１４］参照）
【数１４】
2018121510.tif 000039
【００１８】この点、光の進む距離、すなわち、光の存続期間については、その保有エネルギーが唯一考えられる原因であることは先述した。そして、物質の有する光の性質についても述べた。物質は、その質量ゆえ、重力下にあるものの、光速を備えており、そのエネルギー計算も、光の時間を基準として物質に残された時間に対応するエネルギーの分量、光の性質を有しているのである。このことから、質量の影響があるとはいえ、物質の存続期間も、光と同様、保有エネルギーがその原因であることがわかる。すなわち、質量のない光に限らず、質量ゆえに重力下にある物質に関しても、その保有エネルギーを消費する運動、すなわち、「物質の進む距離」とともに「時間」が発生しているのである。例えば、質量＝０だとすると、エネルギー＝光速×（１−光の進んだ時間／光の進む時間）の積和という式が成り立つ。このことは、エネルギー／光速≒時間であることを示している。つまり、時間とは、速度（すなわち、光速）から転じた保有エネルギーの１つの形態であると考えられるのである。物質の場合、保有エネルギーが質量×速度（すなわち、光速）から転じることとなるため、発生する時間は、質量に反比例することになる。総じて言えば、光には、その速度を通じて、また、物質には、質量とその速度（すなわち、光速）を通じて、時間が発生しているのである。【００１９】以上、時間の新概念、および、物質とエネルギーの関係式に当概念による重力と逓減の要素を取り入れた、保有エネルギーの計算式について論じた。
【先行技術文献】
【発明の概要】
【００２０】時間の新概念の原理と、重力の影響、質量と速度の逓減とを物質とエネルギーの関係式に取り入れることによる、保有エネルギーの計算式の獲得。
【発明が解決しようとする課題】
【００２１】光、時間の本質を解明すること。また、その原理を重力の影響、質量と速度の逓減とともに、物質とエネルギーの関係式に導入すること。
【課題を解決するための手段】
【００２２】時間に重力の影響が及ぶものと考え、また、その重力の影響を、光速を基準として測る。このとき、光が進む距離に応じて、光速が一定となるように時間が発生し、光や物質の保有するエネルギーに応じて時間の進む距離が増えるものと考える。さらに、これらの時間、および光の要素をもとに、時間１からｔまでのそれぞれの逓減値における質量と速度と光速の積和を求めることによって、新たな物質とエネルギーの関係式を導き出す。
【発明の効果】
【００２３】時間の概念の理解。また、その原理と、重力の影響、質量と速度の逓減とを物質とエネルギーの関係式に導入することによる、新たな計算式の発見。さらに、これらの式を用いた、より正確なエネルギーの測定。
【図面の簡単な説明】
【００２４】
【図１】時計の時間モデル
【図２】水の時間モデル
【図３】質量の逓減のグラフ
【図４】速度の逓減のグラフ
【図５】保有エネルギー量と時間のグラフ
【発明を実施するための形態】
【００２５】時間の概念、および、物質とエネルギーの関係の理解、エネルギーの正確な測定
【産業上の利用可能性】
【００２６】基礎研究・研究開発への応用、エネルギーの正確な測定
【手続補正２】
【補正対象書類名】特許請求の範囲
【補正対象項目名】全文
【補正方法】変更
【補正の内容】
【特許請求の範囲】
【請求項１】
時間の進み方には、速度／光速の分だけ重力の影響が及んでいるということ（理論上、重力［速度／光速］が１以上となる場合もありうる）。また、空間内を進む物質が、その保有エネルギーが大きい程、長い距離を進むのと同様、時間も、それを進む保有エネルギーの大きい物質ほど、長い距離、すなわち、長い時間を進むということ。さらに、時間が、光の進んだ距離とともに伸び縮みするのではなく、「発生」するものであり、質量を有する重力下の物質についても、同様のことが言えるという、時間に関する新たな概念。
【請求項２】
上記の時間の概念による重力の影響、および、物体の質量と速度、および、光速の逓減を物質とエネルギーの関係式に導入することにより新たに発見された計算式。また、そこから得られた、保有エネルギーの一形態であるという時間の性質、および、それが本質的には質量を備えた光であるという物質の性質に対する理解。
【手続補正４】
【補正対象書類名】図面
【補正対象項目名】図２
【補正方法】変更
【補正の内容】
【図２】
2018121510.tif 000040
【手続補正書】
【提出日】平成29年5月3日(2017.5.3)
【手続補正１】
【補正対象書類名】明細書
【補正対象項目名】全文
【補正方法】変更
【補正の内容】
【発明の詳細な説明】
【技術分野】
【０００１】物理
【背景技術】
【０００２】まず、時間の概念の説明をする。時間を考えるに際して、時計盤をそのモデルとして用いる。（［図１］参照）時計盤の形状は、中心に軸があり、文字盤の周辺に時間を表す数字が記してあるが、時間は、二次元で表すと、まさに時計盤の様になっていると考えられる。つまり、軸の部分は回転せず、点の状態であり、過去も現在も未来もないが、あるいは、過去と現在と未来が凝縮された状態となっているが、周辺に近づくにつれ、時間の針の動く幅が大きくなっていく。これは、円の中心から離れるにつれて、時間の進み具合が大きくなるということを表している。【０００３】また、このことは、光速が常に一定であることの説明ともなる。そもそも、光は、その進んだ距離に関わらず、一定の光速を維持するという不可思議な現象を有していると言われている。移動する列車の中で、列車とともに移動する鏡に反射した光と、地上にある静止した鏡に反射した光は、その移動距離の差にもかかわらず、同時に出発し、同時に終点に到着することは、周知の事実である。つまり、光は、その進む距離に関わらず、一定の速度を保ち、それが進む場合、速度を一定に保つべく、時間が延び縮みするとされている。すなわち、光の進んだ距離＝時間×光速、つまり、時間＝光の進んだ距離／光速  が成り立つものと考えられているのである。この点について、本論では、光には、その進んだ距離に応じて多くの時間が発生するものと想定し、エネルギーと物質の関係について、理論を展開していく。【０００４】上述の内容を、時計盤に照らし合わせて考えると、光の有する特殊性は、時計の針が、円の周辺に近づくにつれ、長い距離を進むにもかかわらず、針の先の経過時間を針の内側と比べても、進んだ時間そのものが変わらないことや、針の内側の進む距離が針の先端の進む距離に比べると少ないことなどにも表れていることがわかる。【０００５】さらに、わかりやすい例えは、時間が水のようなものであるという発想である。時間の内在する空間を、水の入った３次元の円錐体で考え、物体が水面、または水中を進む際に生じる波打ちを時間の発生とみなす。（［図２］参照）時間とは、完全に静止している場合には流れないが、ほんのわずかであっても、動いたり進んだりすると生成される、水の波打ち、あるいは流れのようなものであるという仮説である。物体が動いたり進んだりした分だけ波打つ水の様に、物体が動いたり進んだりすると、その分だけ時間が発生する。また、水面よりは水中の方が、多くの重力がかかっているため、物質は進みにくく、その速度も遅くなる。すなわち、時間も重力のかかった分だけ、その進み具合や速度が遅くなることを意味している。つまり、水面での物質の動きが、重力のかかっていない光速の状態だとすると、水中での物質の動きは、重力のかかった光速以下の速度となっているのである。そして、円錐の頂点に近づくにつれ、重力は強くなっていく。つまり、時間の進み具合は少なくなっていく。ちなみに、いわゆる、光速が一定であるという現象は、水面上での物質の動きと、時計盤の針の動き方とを重ね合わせてみると、理解できる。ともに、重力がかかっていない状態にあるが、光は円の内側と外側という具合に、同じ時間内での針の進み具合が異な��。しかも、両者は距離が違っても、同じ時間の経過を示している。この差は、ともに無重力という条件下にあることを考慮すれば、保有エネルギーの差であるとしか考えられない。光は保有エネルギーの多い程、長い距離を進む。つまり、長い時間を経過しているのである。逆に、保有エネルギーが０の時、つまり、円の中心に位置するとき、時間は進まない。以上、これらの、時計盤と水の立方体のモデルから、時間のもつ特異な性質を想定した。それをもとに、次は、エネルギーと質量の関係について考える。【０００６】まず、エネルギーと物質の関係を式にすると、
【数１】
2018121510.tif 000041
と表すことができる。
この式は、移動する時間のそれぞれの瞬間をとらえ、そこに静止している物質の保有エネルギーの総量を表したものであると考えることもできる。質量＝エネルギーであるといわれるが、さらに、速度×時間＝距離という、いわゆる時間および空間の総量として示されているものの中に、質量というエネルギーをもった物質が連続的に存在し続けているという考えのもと、この式は構成されている。なお、理解の便宜上、速度、距離と表しているが、これは、素粒子等の運動・振動の速度、移動距離にも応用できるものとする。また、このときのｇ＝物質の進む速度／光速、すなわち、物質にかかっている重力の影響を表す。１／ｇをかけることによって、物質が実際に進むのにかかったエネルギーを算出している。この式に、上記の光と時間に関する原則を代入して計算していくと、以下のようになる。【０００７】
【数２】
2018121510.tif 000042
さらに、上の式をまとめると、
【数３】
2018121510.tif 000043
すなわち、
（１／ｇ）の２乗×物質が進んだ距離×質量＝エネルギー  となる。【０００８】
【数４】
2018121510.tif 000044
であることから、
これと、［０００６］［数１］の光と時間に関する法則を上の式に代入すると、
エネルギー＝質量×光速×時間
【数５】
2018121510.tif 000045
と表すことができる。
計算の過程は以下のとおりである。
【数６】
2018121510.tif 000046
【０００９】このとき、時間Ｔ＝光の進む時間であり、重力の影響（ｇ）がない状態で、その物質が進んだであろう時間、すなわち、物質が進むのにかかった時間×１／ｇを表す。確かに、先述の通り、いかなる重力下における時計も、その進み具合に関し、同じ時間の経過を示す。しかし、我々の時計で計った場合、光の時間Ｔの進み具合は、重力下の時計と同じではないのである。また、上の式が、特殊相対性理論における、Ｅ＝ｍｃの２乗ではなく、光速ｃの一乗に時間Ｔをかけたものであることも重要である。特殊相対性理論におけるＥ＝ｍｃの２乗は、質量ｍの物体、光速ｃ、時点０における静止エネルギーＥを表し、質量が存在するだけで観測されるエネルギーを表している。しかし、本論では、存在するということ自体、その物体が時間の経過の中にあるものと考える。よって、静止している時間というものがあればともかく、それがこの世界にない以上、時間の要素は、エネルギーを考えるうえで、不可欠のものであるということができるのである。三次元の質量に、一次元の光速と、時間を乗じると、距離を伴った立体の時空間ができるわけである。その空間内は、全て質量ｍとなっている。すなわち、その空間は、エネルギーの軌跡となっているわけである。【００１０】さらに、［０００６］の［数１］質量とエネルギーの関係式に、質量と速度の逓減という要素を取り入れて考えてみる。なぜなら、物質は、最終的には、そのエネルギーを失うことで、徐々にその質量を失い、やがては運動・進行を停止するためである。まず、質量についてであるが、質量を縦軸、物質が進む時間を横軸にとると、［図３］の関係が成立する。このとき、初めの質量はｍ１、ｘの時点での質量はｍｘ、物質が進む時間の総計はｔ、ｘの時点での時間はｔｘで表されるものとする。すると、ｘの時点での質量ｍｘは、次の式で表すことができる。
【数７】
2018121510.tif 000047
次は、速度についてであるが、速度を縦軸、物質が進む時間を横軸にとると、［図４］の関係が成立する。このとき、初めの速度はｖ１、ｘの時点での速度はｖｘ、物質が進む時間の総計はｔ、ｘの時点での時間はｔｘで表されるものとする。すると、ｘの時点での速度ｖｘは、次の式で表すことができる。
【数８】
2018121510.tif 000048
【００１１】さて、これらの式をもとに、質量とエネルギーの関係を考え直してみると、今回は、［０００６］の［数１］のような関係式、（物質の進む速度×１／ｇ）×（物質が進むのにかかった時間×１／ｇ）×質量＝エネルギー
ではなく、［数９］のように、Σを用い、物質の進む時間を１からＴまでとし、それぞれの時点における質量と速度の積の和を求めるのが適当であることがわかる。
【数９】
2018121510.tif 000049
上の式に、［数７］、［数８］に示す質量ｍｘ、および速度ｖｘの関係式を代入し、計算すると、次のようになる。
【数１０】
2018121510.tif 000050
【００１２】すなわち、［数９］に示した式は、次のように表すことができることがわかる。
【数１１】
2018121510.tif 000051
この式は、初期の質量ｍ１、および初期の速度ｖ１に、（１−ｔｘ／ｔ）の２乗、すなわち、物質が進む時間の総計から物質が進んだｘまでの時間を引いたもの；ｔ−ｔｘのｔに対する割合を２乗して、それを掛けたものである。このことは、［数９］の式の右辺に［数７］、［数８］を代入したもの、つまり、時間１からｔまでのそれぞれの時間の逓減値における質量と速度の積和が、未だ逓減を受けていない質量と速度の初期値の積；ｍ１ｖ１に、ｘの時点でその物質に残っている時間の因数を乗じたものに等しいことを示している。その意味するところは、すなわち、当式が、ｘの時点における当物質の内部に残っているエネルギー、つまり、保有エネルギーの時間１からｔまでの総和であるということである（［図５］参照）。さらに、時間の関数が２乗となっているのは、時間が二次元、つまり、平面で表されているためである。時間という性質の備わった平面と考えることもできる。［０００９］と同様、そこに一次元の線としての速度を乗じることによって、距離を伴った立体としての空間ができるわけである。また、その空間内は、全て質量ｍとなっている。すなわち、この空間もまた、エネルギーの軌跡となっているわけである。【００１３】しかし、［００１２］の［数１１］で得られた式には、重力の影響ｇという要素が取り入られていない。上の［００１１］の［数１０］の式、およびこの式は、重力のない状態におけるエネルギーの計算式であるともいえる。しかし、我々は、この世界に適用できる式を求める必要がある。そこで、以下、ｇ＝物質の進む速度／光速として、計算する。但し、当計算においては、光速についても、その消滅までの存続期間にわたって逓減してゆくものと考える。実際、光も、かなりの期間、一定の光速を有しはするが、長い距離を走行し、遂にはその保有するエネルギーを失って消滅することから、理論上、このように考えることが妥当であろう。
【数１２】
2018121510.tif 000052
ここで、時間にかかっている重力の影響も考慮する必要がある。よって、上の式は、
2018121510.tif 000053
となる。【００１４】さて、一方で、［０００６］の［数１］（物質の進む速度×１／ｇ）×（物質が進むのにかかった時間×１／ｇ）×質量＝エネルギーの式から得られた、［０００８］の［数５］エネルギー＝質量×光速×時間、という式には、逓減の要素が取り入れられていない。そこで、［００１０］の［数７］、［数８］の関係式を代入し、以下、計算する。
【数１３】
2018121510.tif 000054
【００１５】さて、ここで、［００１３］の［数１２］、［００１４］の［数１３］で得られた式の意味を確認する。得られた２式は、ともに、エネルギー＝質量（初期値）×光速（初期値）×（１−無重力にて物質が進んだ時間ｘ／無重力にて物質の進む時間）の２乗の積和となっており、一致している。これは、物質に残された時間に対応するエネルギーの分量、すなわち、その物質がｘの時点で保有しているエネルギーを表しているものといえる。また、この式から、物質は時間の経過に従って、徐々に、その保有するエネルギーを失っていくということがわかる。【００１６】また、計算結果を得ていえることは、あらゆる物質は、その保有エネルギーの速度として、光の速度を与えられているということである。確かに、光速で移動できるのは光だけである。しかし、我々、または、我々の周りの物質は、その質量や存続時間がどのようであれ、また、重力の影響を受けているとはいえ、その保有エネルギーの全てにおいて、潜在的に光速、すなわち、光の特性を有しているのである。言い換えると、我々を含め、あらゆる物質に内在するエネルギーは、光のエネルギーと何ら変わらないということなのである。また、その時間に関しても、Ｔ、ならびにＴｘという具合に、物質ではなく光の時間の基準が用いられており、あたかも、そのエネルギー計算式の態様は、「質量を伴った」光のエネルギーの計算式の如きである。これらのことから、物質には光の性質がある、あるいは、物質は質量を伴う「光」である可能性が非常に高いと言えるのである。【００１７】一方、物質の保有するエネルギーは、初期値の光速が一定であることから、その初期の質量ｍ１と、存続時間に比例しているということがわかる。存続時間Ｔ＝ｔ×１／ｇ、つまり、その物質の進む時間×１／ｇ、あるいは、Ｔ＝ｔ×ｃ／ｖ＝その物質の進む時間×光速／その物質の進む速度、であることから、その物質の進む速度ｖの値が小さければそれだけ、存続時間Ｔは大きくなる。また、光の存続時間＝光の進む距離／光速、つまり、Ｔ＝Ｓ／ｃであることから、光の進む距離Ｓ、すなわち、光の保有エネルギーが大きければそれだけ、光の存続期間Ｔも大きくなり、Ｔ×ｇ＝ｔであるところの物質の存続時間ｔも大きくなる。このことは、物質の保有エネルギーがその存続期間ｔの大きさに比例していることを意味している。（［数１４］参照）
【数１４】
2018121510.tif 000055
【００１８】この点、光の進む距離、すなわち、光の存続期間については、その保有エネルギーが唯一考えられる原因であることは先述した。そして、物質の有する光の性質についても述べた。物質は、その質量ゆえ、重力下にあるものの、光速を備えており、そのエネルギー計算も、光の時間を基準として物質に残された時間に対応するエネルギーの分量、光の性質を有しているのである。このことから、質量の影響があるとはいえ、物質の存続期間も、光と同様、保有エネルギーがその原因であることがわかる。すなわち、質量のない光に限らず、質量ゆえに重力下にある物質に関しても、その保有エネルギーを消費する運動、すなわち、「物質の進む距離」とともに「時間」が発生しているのである。例えば、質量＝０だとすると、エネルギー＝光速（初期値）×（１−光の進んだ時間／光の進む時間）の積和という式が成り立つ。（［図６］参照）このことは、エネルギー／光速≒時間であることを示している。つまり、時間とは、速度（すなわち、光速）から転じた保有エネルギーの１つの形態であると考えられるのである。物質の場合、保有エネルギーが質量×速度（すなわち、光速）から転じることとなるため、発生する時間は、質量に反比例することになる。総じて言えば、光には、その速度を通じて、また、物質には、質量とその速度（すなわち、光速）を通じて、時間が発生しているのである。さらに、質量＝０、かつ光速＝０である場合、質量、および光速を通じて発生する時間Ｔ＝０となり、それゆえ、エネルギー＝０となる。図３，５、６から考えると、この状態は、永遠時間を表していることがわかる。そして、その状態は、エネルギ＝０の地点にあることを意味している。この０地点では、時間が過去から未来へと流れることはないが、質量、光速ともに０である場合、図３、５、６に示されるように、時間は永遠に存続しているのである。よって、永遠時間の状態は、質量、および光速がゼロの状態を創出することで得られることが分かった。【００１９】以上、物質、および光の保有エネルギーの算定方法、ならびに永遠時間の創出方法について論じた。
【発明の概要】
【００２０】物質、および光の保有エネルギーの算定方法、ならびに永遠時間の創出方法の考案。
【発明が解決しようとする課題】
【００２１】物質、および光の保有エネルギーの算定方法、ならびに永遠時間の創出方法を提供すること。
【課題を解決するための手段】
【００２２】下記式［数１］を用いる、物質の保有エネルギーの算定方法。ここで、Ｅは物質の保有エネルギー、Ｔは無重力にて物質の進む時間、ｍ１は質量（初期値）、Ｃ１は光速（初期値）、Ｔｋは無重力にて物質が進んだ時間ｋである。
【数１】
2018121510.tif 000056
さらに、下記式［数２］を用いる、光の保有エネルギーの算定方法。ここで、Ｅは光の保有エネルギー、Ｔは無重力にて光の進む時間、Ｃ１は光速（初期値）、Ｔｋは無重力にて光が進んだ時間ｋである。
【数２】
2018121510.tif 000057
また、［数１］［数２］から導かれる式として、下記式［数３］が成立する。ここで、Ｅは物質、および光の保有エネルギー、ｍ１は質量（初期値）、Ｃ１は光速（初期値）、Ｔｋは無重力にて物質、あるいは光が進んだ時間ｋ、Ｔは無重力にて物質、および光が進む時間、すなわち、時間の存在そのものである。
【数３】
2018121510.tif 000058
【発明の効果】
【００２３】物質、および光の保有エネルギーの正確な算定、ならびに永遠時間の創出方法
【先行技術文献】
【図面の簡単な説明】
【００２４】
【図１】時計の時間モデル
【図２】水の時間モデル
【図３】質量の逓減のグラフ
【図４】速度の逓減のグラフ
【図５】物質の保有エネルギー量と時間のグラフ
【図６】光の保有エネルギー量と時間のグラフ
【発明を実施するための形態】
【００２５】物質、および光の保有エネルギーの正確な算定、ならびに永遠時間の創出
【産業上の利用可能性】
【００２６】基礎研究・研究開発への応用、物質、および光の保有エネルギーの正確な算定、ならびに永遠時間の創出
【手続補正２】
【補正対象書類名】特許請求の範囲
【補正対象項目名】全文
【補正方法】変更
【補正の内容】
【特許請求の範囲】
【請求項１】
下記式［数１］を用いる、物質の保有エネルギーの算定方法。
【数１】
2018121510.tif 000059
ここで、Ｅは物質の保有エネルギー、Ｔは無重力にて物質の進む時間、ｍ１は質量（初期値）、Ｃ１は光速（初期値）、Ｔｋは無重力にて物質が進んだ時間ｋである。
【請求項２】
下記式［数２］を用いる、光の保有エネルギーの算定方法。
【数２】
2018121510.tif 000060
ここで、Ｅは光の保有エネルギー、Ｔは無重力にて光の進む時間、Ｃ１は光速（初期値）、Ｔｋは無重力にて光が進んだ時間ｋである。
【請求項３】
下記式［数３］を用いた、永遠時間の創出方法。
【数３】
2018121510.tif 000061
ここで、Ｅは物質、あるいは光の保有エネルギー、ｍ１は質量（初期値）、Ｃ１は光速（初期値）、Ｔｋは無重力にて物質、あるいは光が進んだ時間ｋ、Ｔは無重力にて物質、あるいは光が進む時間、すなわち、時間の存在そのものである。
【手続補正４】
【補正対象書類名】図面
【補正対象項目名】図６
【補正方法】追加
【補正の内容】
【図６】
2018121510.tif 000062
【手続補正書】
【提出日】平成29年5月10日(2017.5.10)
【手続補正１】
【補正対象書類名】明細書
【補正対象項目名】０００５
【補正方法】変更
【補正の内容】
【０００５】さらに、わかりやすい例えは、時間が水のようなものであるという発想である。時間の内在する空間を、水の入った３次元の円錐体で考え、物体が水面、または水中を進む際に生じる波打ちを時間の発生とみなす。（［図２］参照）時間とは、完全に静止している場合には流れないが、ほんのわずかであっても、動いたり進んだりすると生成される、水の波打ち、あるいは流れのようなものであるという仮説である。物体が動いたり進んだりした分だけ波打つ水の様に、物体が動いたり進んだりすると、その分だけ時間が発生する。また、水面よりは水中の方が、多くの重力がかかっているため、物質は進みにくく、その速度も遅くなる。すなわち、時間も重力のかかった分だけ、その進み具合や速度が遅くなることを意味している。つまり、水面での物質の動きが、重力のかかっていない光速の状態だとすると、水中での物質の動きは、重力のかかった光速以下の速度となっているのである。そして、円錐の頂点に近づくにつれ、重力は強くなっていく。つまり、時間の進み具合は少なくなっていく。ちなみに、いわゆる、光速が一定であるという現象は、水面上での物質の動きと、時計盤の針の動き方とを重ね合わせてみると、理解できる。ともに、重力がかかっていない状態にあるが、光は円の内側と外側という具合に、同じ時間内での針の進み具合が異なる。しかも、両者は距離が違っても、同じ時間の経過を示している。この差は、ともに無重力という条件下にあることを考慮すれば、保有エネルギーの差であるとしか考えられない。光は保有エネルギーの多い程、長い距離を進む。つまり、長い時間を経過しているのである。逆に、保有エネルギーが０の時、つまり、円の中心に位置するとき、時間は進まない。保有エネルギーが減るにつれ、時間の進み具合は短くなり、エネルギーを失うと、ついに時間は停止するのである。炊飯器が熱エネルギーを与え続けることで、米の保有エネルギーを維持し、よってその時間の進み具合を大きくし、存続時間を増やすことや、冷蔵庫が食物から熱エネルギーを奪うことで、その保有エネルギーを減少させ、よってその時間の進み具合を小さくし、鮮度を保つことなどは、時間の原理に照らし合わせれば、全く理にかなっているのである。以上、これらの、時計盤と水の立方体のモデルから、時間のもつ特異な性質を想定した。それをもとに、次は、エネルギーと質量の関係について考える。
【手続補正書】
【提出日】平成29年5月19日(2017.5.19)
【手続補正１】
【補正対象書類名】明細書
【補正対象項目名】全文
【補正方法】変更
【補正の内容】
【発明の詳細な説明】
【技術分野】
【０００１】  物理
【背景技術】
【０００２】まず、時間の概念の説明をする。時間を考えるに際して、時計盤をそのモデルとして用いる。（［図１］参照）時計盤の形状は、中心に軸があり、文字盤の周辺に時間を表す数字が記してあるが、時間は、二次元で表すと、まさに時計盤の様になっていると考えられる。つまり、軸の部分は回転せず、点の状態であり、過去も現在も未来もないが、あるいは、過去と現在と未来が凝縮された状態となっているが、周辺に近づくにつれ、時間の針の動く幅が大きくなっていく。これは、円の中心から離れるにつれて、時間の進み具合が大きくなるということを表している。【０００３】また、このことは、光速が常に一定であることの説明ともなる。そもそも、光は、その進んだ距離に関わらず、一定の光速を維持するという不可思議な現象を有していると言われている。移動する列車の中で、列車とともに移動する鏡に反射した光と、地上にある静止した鏡に反射した光は、その移動距離の差にもかかわらず、同時に出発し、同時に終点に到着することは、周知の事実である。つまり、光は、その進む距離に関わらず、一定の速度を保ち、それが進む場合、速度を一定に保つべく、時間が延び縮みするとされている。すなわち、光の進んだ距離＝時間×光速、つまり、時間＝光の進んだ距離／光速  が成り立つものと考えられているのである。この点について、本論では、光には、その進んだ距離に応じて多くの時間が発生するものと想定し、エネルギーと物質の関係について、理論を展開していく。【０００４】上述の内容を、時計盤に照らし合わせて考えると、光の有する特殊性は、時計の針が、円の周辺に近づくにつれ、長い距離を進むにもかかわらず、針の先の経過時間を針の内側と比べても、進んだ時間そのものが変わらないことや、針の内側の進む距離が針の先端の進む距離に比べると少ないことなどにも表れていることがわかる。【０００５】さらに、わかりやすい例えは、時間が水のようなものであるという発想である。時間の内在する空間を、水の入った３次元の円錐体で考え、物体が水面、または水中を進む際に生じる波打ちを時間の発生とみなす。（［図２］参照）時間とは、完全に静止している場合には流れないが、ほんのわずかであっても、動いたり進んだりすると生成される、水の波打ち、あるいは流れのようなものであるという仮説である。物体が動いたり進んだりした分だけ波打つ水の様に、物体が動いたり進んだりすると、その分だけ時間が発生する。また、水面よりは水中の方が、多くの重力がかかっているため、物質は進みにくく、その速度も遅くなる。すなわち、時間も重力のかかった分だけ、その進み具合や速度が遅くなることを意味している。つまり、水面での物質の動きが、重力のかかっていない光速の状態だとすると、水中での物質の動きは、重力のかかった光速以下の速度となっているのである。そして、円錐の頂点に近づくにつれ、重力は強くなっていく。つまり、時間の進み具合は少なくなっていく。ちなみに、いわゆる、光速が一定であるという現象は、水面上での物質の動きと、時計盤の針の動き方とを重ね合わせてみると、理解できる。ともに、重力がかかっていない状態にあるが、光は円の内側と外側という具合に、同じ時間内での針の進み具合が異な��。しかも、両者は距離が違っても、同じ時間の経過を示している。この差は、ともに無重力という条件下にあることを考慮すれば、保有エネルギーの差であるとしか考えられない。光は保有エネルギーの多い程、長い距離を進む。つまり、長い時間を経過しているのである。逆に、保有エネルギーが０の時、つまり、円の中心に位置するとき、時間は進まない。以上、これらの、時計盤と水の立方体のモデルから、時間のもつ特異な性質を想定した。それをもとに、次は、エネルギーと質量の関係について考える。【０００６】まず、エネルギーと物質の関係を式にすると、
【数１】
2018121510.tif 000063
と表すことができる。
この式は、移動する時間のそれぞれの瞬間をとらえ、そこに静止している物質の保有エネルギーの総量を表したものであると考えることもできる。質量＝エネルギーであるといわれるが、さらに、速度×時間＝距離という、いわゆる時間および空間の総量として示されているものの中に、質量というエネルギーをもった物質が連続的に存在し続けているという考えのもと、この式は構成されている。なお、理解の便宜上、速度、距離と表しているが、これは、素粒子等の運動・振動の速度、移動距離にも応用できるものとする。また、このときのｇ＝物質の進む速度／光速、すなわち、物質にかかっている重力の影響を表す。１／ｇをかけることによって、物質が実際に進むのにかかったエネルギーを算出している。この式に、上記の光と時間に関する原則を代入して計算していくと、以下のようになる。【０００７】
【数２】
2018121510.tif 000064
さらに、上の式をまとめると、
【数３】
2018121510.tif 000065
すなわち、
（１／ｇ）の２乗×物質が進んだ距離×質量＝エネルギー  となる。【０００８】
【数４】
2018121510.tif 000066
であることから、
これと、［０００６］［数１］の光と時間に関する法則を上の式に代入すると、
エネルギー＝質量×光速×時間
【数５】
2018121510.tif 000067
と表すことができる。
計算の過程は以下のとおりである。
【数６】
2018121510.tif 000068
【０００９】このとき、時間Ｔ＝光の進む時間であり、重力の影響（ｇ）がない状態で、その物質が進んだであろう時間、すなわち、物質が進むのにかかった時間×１／ｇを表す。確かに、先述の通り、いかなる重力下における時計も、その進み具合に関し、同じ時間の経過を示す。しかし、我々の時計で計った場合、光の時間Ｔの進み具合は、重力下の時計と同じではないのである。また、上の式が、特殊相対性理論における、Ｅ＝ｍｃの２乗ではなく、光速ｃの一乗に時間Ｔをかけたものであることも重要である。特殊相対性理論におけるＥ＝ｍｃの２乗は、質量ｍの物体、光速ｃ、時点０における静止エネルギーＥを表し、質量が存在するだけで観測されるエネルギーを表している。しかし、本論では、存在するということ自体、その物体が時間の経過の中にあるものと考える。よって、静止している時間というものがあればともかく、それがこの世界にない以上、時間の要素は、エネルギーを考えるうえで、不可欠のものであるということができるのである。三次元の質量に、一次元の光速と、時間を乗じると、距離を伴った立体の時空間ができるわけである。その空間内は、全て質量ｍとなっている。すなわち、その空間は、エネルギーの軌跡となっているわけである。【００１０】さらに、［０００６］の［数１］質量とエネルギーの関係式に、質量と速度の逓減という要素を取り入れて考えてみる。なぜなら、物質は、最終的には、そのエネルギーを失うことで、徐々にその質量を失い、やがては運動・進行を停止するためである。まず、質量についてであるが、質量を縦軸、物質が進む時間を横軸にとると、［図３］の関係が成立する。このとき、初めの質量はｍ１、ｘの時点での質量はｍｘ、物質が進む時間の総計はｔ、ｘの時点での時間はｔｘで表されるものとする。すると、ｘの時点での質量ｍｘは、次の式で表すことができる。
【数７】
2018121510.tif 000069
次は、速度についてであるが、速度を縦軸、物質が進む時間を横軸にとると、［図４］の関係が成立する。このとき、初めの速度はｖ１、ｘの時点での速度はｖｘ、物質が進む時間の総計はｔ、ｘの時点での時間はｔｘで表されるものとする。すると、ｘの時点での速度ｖｘは、次の式で表すことができる。
【数８】
2018121510.tif 000070
【００１１】さて、これらの式をもとに、質量とエネルギーの関係を考え直してみると、今回は、［０００６］の［数１］のような関係式、（物質の進む速度×１／ｇ）×（物質が進むのにかかった時間×１／ｇ）×質量＝エネルギー
ではなく、［数９］のように、Σを用い、物質の進む時間を１からＴまでとし、それぞれの時点における質量と速度の積の和を求めるのが適当であることがわかる。
【数９】
2018121510.tif 000071
上の式に、［数７］、［数８］に示す質量ｍｘ、および速度ｖｘの関係式を代入し、計算すると、次のようになる。
【数１０】
2018121510.tif 000072
【００１２】すなわち、［数９］に示した式は、次のように表すことができることがわかる。
【数１１】
2018121510.tif 000073
この式は、初期の質量ｍ１、および初期の速度ｖ１に、（１−ｔｘ／ｔ）の２乗、すなわち、物質が進む時間の総計から物質が進んだｘまでの時間を引いたもの；ｔ−ｔｘのｔに対する割合を２乗して、それを掛けたものである。このことは、［数９］の式の右辺に［数７］、［数８］を代入したもの、つまり、時間１からｔまでのそれぞれの時間の逓減値における質量と速度の積和が、未だ逓減を受けていない質量と速度の初期値の積；ｍ１ｖ１に、ｘの時点でその物質に残っている時間の因数を乗じたものに等しいことを示している。その意味するところは、すなわち、当式が、ｘの時点における当物質の内部に残っているエネルギー、つまり、保有エネルギーの時間１からｔまでの総和であるということである（［図５］参照）。さらに、時間の関数が２乗となっているのは、時間が二次元、つまり、平面で表されているためである。時間という性質の備わった平面と考えることもできる。［０００９］と同様、そこに一次元の線としての速度を乗じることによって、距離を伴った立体としての空間ができるわけである。また、その空間内は、全て質量ｍとなっている。すなわち、この空間もまた、エネルギーの軌跡となっているわけである。【００１３】しかし、［００１２］の［数１１］で得られた式には、重力の影響ｇという要素が取り入られていない。上の［００１１］の［数１０］の式、およびこの式は、重力のない状態におけるエネルギーの計算式であるともいえる。しかし、我々は、この世界に適用できる式を求める必要がある。そこで、以下、ｇ＝物質の進む速度／光速として、計算する。但し、当計算においては、光速についても、その消滅までの存続期間にわたって逓減してゆくものと考える。実際、光も、かなりの期間、一定の光速を有しはするが、長い距離を走行し、遂にはその保有するエネルギーを失って消滅することから、理論上、このように考えることが妥当であろう。
【数１２】
2018121510.tif 000074
ここで、時間にかかっている重力の影響も考慮する必要がある。よって、上の式は、
2018121510.tif 000075
となる。【００１４】さて、一方で、［０００６］の［数１］（物質の進む速度×１／ｇ）×（物質が進むのにかかった時間×１／ｇ）×質量＝エネルギーの式から得られた、［０００８］の［数５］エネルギー＝質量×光速×時間、という式には、逓減の要素が取り入れられていない。そこで、［００１０］の［数７］、［数８］の関係式を代入し、以下、計算する。
【数１３】
2018121510.tif 000076
【００１５】さて、ここで、［００１３］の［数１２］、［００１４］の［数１３］で得られた式の意味を確認する。得られた２式は、ともに、エネルギー＝質量（初期値）×光速（初期値）×（１−無重力にて物質が進んだ時間ｘ／無重力にて物質の進む時間）の２乗の積和となっており、一致している。これは、物質に残された時間に対応するエネルギーの分量、すなわち、その物質がｘの時点で保有しているエネルギーを表しているものといえる。また、この式から、物質は時間の経過に従って、徐々に、その保有するエネルギーを失っていくということがわかる。【００１６】また、計算結果を得ていえることは、あらゆる物質は、その保有エネルギーの速度として、光の速度を与えられているということである。確かに、光速で移動できるのは光だけである。しかし、我々、または、我々の周りの物質は、その質量や存続時間がどのようであれ、また、重力の影響を受けているとはいえ、その保有エネルギーの全てにおいて、潜在的に光速、すなわち、光の特性を有しているのである。言い換えると、我々を含め、あらゆる物質に内在するエネルギーは、光のエネルギーと何ら変わらないということなのである。また、その時間に関しても、Ｔ、ならびにＴｘという具合に、物質ではなく光の時間の基準が用いられており、あたかも、そのエネルギー計算式の態様は、「質量を伴った」光のエネルギーの計算式の如きである。これらのことから、物質には光の性質がある、あるいは、物質は質量を伴う「光」である可能性が非常に高いと言えるのである。【００１７】一方、物質の保有するエネルギーは、初期値の光速が一定であることから、その初期の質量ｍ１と、存続時間に比例しているということがわかる。存続時間Ｔ＝ｔ×１／ｇ、つまり、その物質の進む時間×１／ｇ、あるいは、Ｔ＝ｔ×ｃ／ｖ＝その物質の進む時間×光速／その物質の進む速度、であることから、その物質の進む速度ｖの値が小さければそれだけ、存続時間Ｔは大きくなる。また、光の存続時間＝光の進む距離／光速、つまり、Ｔ＝Ｓ／ｃであることから、光の進む距離Ｓ、すなわち、光の保有エネルギーが大きければそれだけ、光の存続期間Ｔも大きくなり、Ｔ×ｇ＝ｔであるところの物質の存続時間ｔも大きくなる。このことは、物質の保有エネルギーがその存続期間ｔの大きさに比例していることを意味している。（［数１４］参照）
【数１４】
2018121510.tif 000077
【００１８】この点、光の進む距離、すなわち、光の存続期間については、その保有エネルギーが唯一考えられる原因であることは先述した。そして、物質の有する光の性質についても述べた。物質は、その質量ゆえ、重力下にあるものの、光速を備えており、そのエネルギー計算も、光の時間を基準として物質に残された時間に対応するエネルギーの分量、光の性質を有しているのである。このことから、質量の影響があるとはいえ、物質の存続期間も、光と同様、保有エネルギーがその原因であることがわかる。すなわち、質量のない光に限らず、質量ゆえに重力下にある物質に関しても、その保有エネルギーを消費する運動、すなわち、「物質の進む距離」とともに「時間」が発生しているのである。例えば、質量＝０だとすると、エネルギー＝光速（初期値）×（１−光の進んだ時間／光の進む時間）の積和という式が成り立つ。（［図６］参照）このことは、エネルギー／光速≒時間であることを示している。つまり、時間とは、速度（すなわち、光速）から転じた保有エネルギーの１つの形態であると考えられるのである。物質の場合、保有エネルギーが質量×速度（すなわち、光速）から転じることとなるため、発生する時間は、質量に反比例することになる。総じて言えば、光には、その速度を通じて、また、物質には、質量とその速度（すなわち、光速）を通じて、時間が発生しているのである。さらに、質量＝０、かつ光速＝０である場合、質量、および光速を通じて発生する時間Ｔ＝０となり、それゆえ、エネルギー＝０となる。図３，５、６から考えると、この状態は、永遠時間を表していることがわかる。そして、その状態は、エネルギ＝０の地点にあることを意味している。この０地点では、時間が過去から未来へと流れることはないが、質量、光速ともに０である場合、図３、５、６に示されるように、時間は永遠に存続しているのである。よって、永遠時間の状態は、質量、および光速がゼロの状態を創出することで得られることが分かった。【００１９】以上、物質、および光の保有エネルギーの算定方法、ならびに永遠時間の創出方法について論じた。
【先行技術文献】
【非特許文献】
【非特許文献１】ギャリー・ガーバー（Ｇａｒｙ  Ｇａｒｂｅｒ）著、「速度と位置のグラフ」（‘Ｖｅｌｏｃｉｔｙ  ａｎｄ  Ｐｏｓｉｔｉｏｎ  Ｇｒａｐｈｓ’）、［ｏｎｌｉｎｅ］、更新日不明、［平成２９年５月１２日検索］、インターネット＜ＵＲＬ：ｈｔｔｐ：／／ｂｌｏｇｓ．ｂｕ．ｅｄｕ／ｇｇａｒｂｅｒ／ａｒｃｈｉｖｅ／ｂｕａ−ｐｈｙｓｉｃｓ／ｖｅｌｏｃｉｔｙ−ａｎｄ−ｐｏｓｉｔｉｏｎ−ｇｒａｐｈｓ／＞
【非特許文献２】マーク・ヘドリック（Ｍａｒｋ  Ｈｅａｄｒｉｃｋ）著、「質量と（温度変化を利用してぜんまいを巻く）自動巻き  置き時計の時間との関係の発見」‘Ｔｏ  Ｆｉｎｄ  ｔｈｅ  Ｒｅｌａｔｉｏｎｓｈｉｐ  Ｂｅｔｗｅｅｎ  ｔｈｅ  Ｍａｓｓ  ａｎｄ  ｔｈｅ  Ｔｉｍｅｋｅｅｐｉｎｇ  ｏｆ  ｔｈｅ  Ａｔｍｏｓ  Ｃｌｏｃｋ’）、［ｏｎｌｉｎｅ］、更新日不明、［平成２９年５月１３日検索］、インターネット＜ＵＲＬ：ｈｔｔｐ：／／ｗｗｗ．ａｂｂｅｙｃｌｏｃｋ．ｃｏｍ／ａｔｍｏｓ．ｈｔｍｌ＞
【非特許文献３】アレクセイ・ギルクリスト（Ａｌｘｅｉ  Ｇｉｌｃｈｒｉｓｔ）著、「減衰調和振動子におけるエネルギー」（‘Ｅｎｅｒｇｙ  ｉｎ  ａ  Ｄａｍｐｅｄ  Ｈａｒｍｏｎｉｃ  Ｏｓｃｉｌｌａｔｏｒ’）、２０１４年更新、［ｏｎｌｉｎｅ］、［平成２９年５月１２日検索］、インターネット＜ＵＲＬ：ｈｔｔｐ：／／ｗｗｗ．ｅｎｔｒｏｐｙ．ｅｎｅｒｇｙ／ｓｃｈｏｌａｒ／ｎｏｄｅ／ｄａｍｐｅｄ−ｈａｒｍｏｎｉｃ−ｏｓｃｉｌｌａｔｏｒ−ｅｎｅｒｇｙ＞
【非特許文献４】ピーター・セパレー（Ｐｅｔｅｒ  Ｃｅｐｅｒｌｅｙ）著、「共振器における動力停止」（’Ｐｏｗｅｒ  Ｌｏｓｓ  ｉｎ  Ｒｅｓｏｎａｔｏｒｓ’）、２０１１年３月３１日、［ｏｎｌｉｎｅ］、［平成２９年５月１２日検索］、インターネット＜ＵＲＬ：ｈｔｔｐ：／／ｒｅｓｏｎａｎｃｅｓｗａｖｅｓａｎｄｆｉｅｌｄｓ．ｂｌｏｇｓｐｏｔ．ｊｐ／２０１１／０３／ｐｏｗｅｒ−ｌｏｓｓ−ｉｎ−ｒｅｓｏｎａｔｏｒｓ．ｈｔｍｌ＞
【非特許文献５】ダン・ヘンショー（Ｄａｎ  Ｈｅｎｓｈａｗ）著、「地球温暖化は救えるか」（’Ｇｌｏｂａｌ  Ｈｅａｔｉｎｇ  Ｓａｖｅｄ？’）、２０１６年１２月８日、［ｏｎｌｉｎｅ］、［平成２９年５月１２日検索］，インターネット＜ＵＲＬ：ｈｔｔｐｓ：／／ｃａｒｂｏｎｌｅｓｓａｉｒ．ｗｏｒｄｐｒｅｓｓ．ｃｏｍ／＞
【非特許文献６】キース・ギブス（Ｋｅｉｔｈ  Ｇｉｂｂｓ）著、「蓄電器の充放電の数理処理」（‘Ｍａｔｈｅｍａｔｉｃａｌ  ｔｒｅａｔｍｅｎｔ  ｏｆ  ｃｈａｒｇｉｎｇ  ａｎｄ  ｄｉｓｃｈａｒｇｉｎｇ  ａ  ｃａｐａｃｉｔｏｒ’）、２０１３年、［ｏｎｌｉｎｅ］、［平成２９年５月１２日検索］，インターネット＜ＵＲＬ：ｈｔｔｐ：／／ｗｗｗ．ｓｃｈｏｏｌｐｈｙｓｉｃｓ．ｃｏ．ｕｋ／ａｇｅ１６−１９／Ｅｌｅｃｔｒｉｃｉｔｙ％２０ａｎｄ％２０ｍａｇｎｅｔｉｓｍ／Ｅｌｅｃｔｒｏｓｔａｔｉｃｓ／ｔｅｘｔ／Ｃａｐａｃｉｔｏｒ  ｃｈａｒｇｅ  ａｎｄ  ｄｉｓｃｈａｒｇｅ  ｍａｔｈｅｍａｔｉｃｓ／ｉｎｄｅｘ．ｈｔｍｌ＞
【非特許文献７】リーブルテキスト・カリフォルニア大学（ＵＣＤａｖｉｓ，ＬｉｂｒｅＴｅｘｔｓ）著、「放射性崩壊」（‘Ｒａｄｉｏａｃｔｉｖｅ  Ｄｅｃａｙ‘）、［ｏｎｌｉｎｅ］、更新日２０１７年２月２０日、［平成２９年５月１３日検索］、インターネット＜ＵＲＬ：ｈｔｔｐｓ：／／ｐｈｙｓ．ｌｉｂｒｅｔｅｘｔｓ．ｏｒｇ／ＴｅｘｔＭａｐｓ／Ｇｅｎｅｒａｌ  Ｐｈｙｓｉｃｓ  Ｔｅｘｔｍａｐｓ／Ｍａｐ％３Ａ  Ｕｎｉｖｅｒｓｉｔｙ  Ｐｈｙｓｉｃｓ（ＯｐｅｎＳｔａｘ）／Ｍａｐ％３Ａ  Ｕｎｉｖｅｒｓｉｔｙ  Ｐｈｙｓｉｃｓ  ＩＩＩ（ＯｐｅｎＳｔａｘ）／１０％３Ａ  Ｎｕｃｌｅａｒ  Ｐｈｙｓｉｃｓ／１０．３％３Ａ  Ｒａｄｉｏａｃｔｉｖｅ  Ｄｅｃａｙ＞
【非特許文献８】ハワード・Ｓ・マティス（Ｈｏｗａｒｄ  Ｓ．Ｍａｔｉｓ）著、「放射能」（‘Ｒａｄｉｏａｃｔｉｖｉｔｙ’）、［ｏｎｌｉｎｅ］、更新日２０００年８月９日、［平成２９年５月１３日検索］、インターネット＜ＵＲＬ：ｈｔｔｐ：／／ｗｗｗ２．ｌｂｌ．ｇｏｖ／ａｂｃ／ｗａｌｌｃｈａｒｔ／ｃｈａｐｔｅｒｓ／０３／０．ｈｔｍｌ＞
【非特許文献９】ブルース・Ｎ・ホグランド著（Ｂｒｕｃｅ  Ｎ．Ｈｏｇｌｕｎｄ）、「放射エネルギー」（‘Ｒａｄｉａｔｉｏｎ！’）、１９９７年、［ｏｎｌｉｎｅ］、［平成２９年５月１３日検索］、インターネット＜ＵＲＬ：ｈｔｔｐ：／／ｍｏｌｔｅｎｓａｌｔ．ｏｒｇ．ｓ３−ｗｅｂｓｉｔｅ−ｕｓ−ｅａｓｔ−１．ａｍａｚｏｎａｗｓ．ｃｏｍ／ｒｅｆｅｒｅｎｃｅｓ／ｓｔａｔｉｃ／ｈｏｍｅ．ｅａｒｔｈｌｉｎｋ．ｎｅｔ／ｂｈｏｇｌｕｎｄ／ｒａｄｉａｔｉｏｎ  Ｆａｃｔｓ．ｈｔｍｌ＞
【非特許文献１０】ジェファーソン・コミュニティ＆テクニカル・カレッジ（Ｊｅｆｆｅｒｓｏｎ  Ｃｏｍｍｕｎｉｔｙ  ａｎｄ  Ｔｅｃｈｎｉｃａｌ  Ｃｏｌｌｅｇｅ）著、「原子力、放射能、および現代物理」（‘Ａｔｏｍｉｃ，Ｎｕｃｌｅａｒ  ａｎｄ  Ｍｏｄｅｒｎ  Ｐｈｙｓｉｃｓ’）、［ｏｎｌｉｎｅ］、更新日不明、［平成２９年５月１３日検索］、インターネット＜ＵＲＬ：ｈｔｔｐ：／／ｌｅｇａｃｙ．ｊｅｆｆｅｒｓｏｎ．ｋｃｔｃｓ．ｅｄｕ／ｔｅｃｈｃｅｎｔｅｒ／Ｃｌａｓｓｅｓ／Ｐｈｙｓｉｃｓ／ＡｔｏｍｉｃＮｕｃｌｅａｒａｎｄＭｏｄｅｒｎＰｈｙｓｉｃｓ／ＡｔｏｍｉｃＮｕｃｌｅａｒａｎｄＭｏｄｅｒｎＰｈｙｓｉｃｓ  ｐｒｉｎｔ．ｈｔｍｌ＞
【非特許文献１１】Ｅ．エルミス、Ｃ．セリクタス（Ｅ．Ｅ．Ｅｒｍｉｓ，Ｃ．Ｃｅｌｉｋｔａｓ）著、「ガンマ線減衰の構成要素の係数を特定する異なる方法」（‘Ａ  ｄｉｆｆｅｒｅｎｔ  Ｗａｙ  ｔｏ  Ｄｅｔｅｒｍｉｎｅ  ｔｈｅ  Ｇａｍｍａ−ｒａｙ  Ｌｉｎｅａｒ  Ａｔｔｅｎｕａｔｉｏｎ  Ｃｏｅｆｆｉｃｉｅｎｔｓ  ｏｆ  Ｍａｔｅｒｉａｌｓ’）、２０１２年、［ｏｎｌｉｎｅ］、［平成２９年５月１３日検索］、インターネット＜ＵＲＬ：ｈｔｔｐ：／／ａｒｔｉｃｌｅ．ｓａｐｕｂ．ｏｒｇ／１０．５９２３．ｊ．ｉｎｓｔｒｕｍｅｎｔ．２０１２０１０４．０１．ｈｔｍｌ＞
【非特許文献１２】ヴァシリー・Ｎ・アストラトヴ他（Ｖａｓｉｌｙ  Ｎ．Ａｓｔｒａｔｏｖ  ｅｔ  ａｌ）著、「レーザー手術のための光子超高精度微量分注装置」（’Ｐｈｏｔｏｎｉｃ  ｎａｎｏｊｅｔｓ  ｆｏｒ  ｌａｓｅｒ  ｓｕｒｇｅｒｙ’）、２０１０年３月１２日、［ｏｎｌｉｎｅ］、［平成２９年５月１３日検索］、インターネット＜ＵＲＬ：ｈｔｔｐ：／／ｓｐｉｅ．ｏｒｇ／ｎｅｗｓｒｏｏｍ／２５７８−ｐｈｏｔｏｎｉｃ−ｎａｎｏｊｅｔｓ−ｆｏｒ−ｌａｓｅｒ−ｓｕｒｇｅｒｙ＞
【非特許文献１３】ユリ・Ａ・リッビノブ他（Ｙｕｒｉ  Ａ．Ｌｉｔｖｉｎｏｖ  ｅｔ  ａｌ）著、「周期変動する電子捕獲減衰」（‘Ｏｓｃｉｌｌａｔｉｎｇ  Ｅｌｅｃｔｒｏｎ  Ｃａｐｔｕｒｅ  Ｄｅｃａｙ’）、２００８年１月１４日、［ｏｎｌｉｎｅ］、［平成２９年５月１３日検索］、インターネット＜ＵＲＬ：ｈｔｔｐ：／／ｋａｍｌａｎｄ．ｌｂｌ．ｇｏｖ／ｒｅｓｅａｒｃｈ−ｐｒｏｊｅｃｔｓ／ｏｃｓｉｌｌａｔｉｎｇ−ｅｌｅｃｔｒｏｎｓ−ｃａｐｔｕｒｅ−ｄｅｃａｙｓ−ｔｉｍｅｓ＞
【非特許文献１４】国際光工学会（Ｓｏｃｉｅｔｙ  ｏｆ  Ｐｈｏｔｏ−Ｏｐｔｉｃａｌ  Ｉｎｓｔｒｕｍｅｎｔａｔｉｏｎ  Ｅｎｇｉｎｅｅｒｓ）著、「ＦＳＯ（７５０から１５５０ｎｍの波長の微弱光信号を利用した通信システム）を適用した海岸滑昇濃霧  ６５０、８５０、及び９５０ｎｍにおける光減衰の測定と予測」（‘Ｍｅａｓｕｒｅｄ  ａｎｄ  ｐｒｅｄｉｃｔｅｄ  ｌｉｇｈｔ  ａｔｔｅｎｕａｔｉｏｎ  ｉｎ  ｄｅｎｓｅ  ｃｏａｓｔａｌ  ｕｐｓｌｏｐｅ  ｆｏｇ  ａｔ  ６５０，８５０，ａｎｄ  ９５０ｎｍ  ｆｏｒ  ｆｒｅｅ−ｓｐａｃｅ  ｏｐｔｉｃｓ  ａｐｐｌｉｃａｔｉｏｎｓ’），Ｍａｒｃｈ  ２６，２００８，［ｏｎｌｉｎｅ］，［平成２９年５月１３日検索］、インターネット＜ＵＲＬ：ｈｔｔｐ：／／ｏｐｔｉｃａｌｅｎｇｉｎｅｅｒｉｎｇ．ｓｐｉｅｄｉｇｉｔａｌｌｉｂｒａｒｙ．ｏｒｇ／ａｒｔｉｃｌｅ．ａｓｐｘ？ａｒｔｉｃｌｅｉｄ＝１０８８７８４＃Ｉｎｔｒｏｄｕｃｔｉｏｎ＞
【非特許文献１５】ウィキペディア（Ｗｉｋｉｐｅｄｉａ）著，「零点エネルギー」（‘Ｚｅｒｏ−ｐｏｉｎｔ  ｅｎｅｒｇｙ’），［ｏｎｌｉｎｅ］，ｌａｓｔ  ｅｄｉｔｅｄ  ｏｎ  ２８  Ａｐｒｉｌ  ２０１７，［Ｓｅａｒｃｈｅｄ  ｏｎ  Ｍａｙ  １３，２０１７］，Ｔｈｅ  Ｉｎｔｅｒｎｅｔ：＜ＵＲＬ：ｈｔｔｐｓ：／／ｅｎ．ｗｉｋｉｐｅｄｉａ．ｏｒｇ／ｗｉｋｉ／Ｚｅｒｏ−ｐｏｉｎｔ  ｅｎｅｒｇｙ＞
【発明の概要】
【００２０】物質、および光の保有エネルギーの算定方法、ならびに永遠時間の創出方法の考案。
【発明が解決しようとする課題】
【００２１】物質、および光の保有エネルギーの算定方法、ならびに永遠時間の創出方法を提供すること。
【課題を解決するための手段】
【００２２】下記式［数１］を用いる、物質の保有エネルギーの算定方法。ここで、Ｅは物質の保有エネルギー、Ｔは無重力にて物質の進む時間、ｍ１は質量（初期値）、Ｃ１は光速（初期値）、Ｔｋは無重力にて物質が進んだ時間ｋである。
【数１】
2018121510.tif 000078
さらに、下記式［数２］を用いる、光の保有エネルギーの算定方法。ここで、Ｅは光の保有エネルギー、Ｔは無重力にて光の進む時間、Ｃ１は光速（初期値）、Ｔｋは無重力にて光が進んだ時間ｋである。
【数２】
2018121510.tif 000079
また、［数１］［数２］から導かれる式として、下記式［数３］が成立する。ここで、Ｅは物質、および光の保有エネルギー、ｍ１は質量（初期値）、Ｃ１は光速（初期値）、Ｔｋは無重力にて物質、あるいは光が進んだ時間ｋ、Ｔは無重力にて物質、および光が進む時間、すなわち、時間の存在そのものである。
【数３】
2018121510.tif 000080
【発明の効果】
【００２３】物質、および光の保有エネルギーの正確な算定、ならびに永遠時間の創出方法
【図面の簡単な説明】
【００２４】
【図１】時計の時間モデル
【図２】水の時間モデル
【図３】質量の逓減のグラフ
【図４】速度の逓減のグラフ
【図５】物質の保有エネルギー量と時間のグラフ
【図６】光の保有エネルギー量と時間のグラフ
【発明を実施するための形態】
【００２５】物質、および光の保有エネルギーの正確な算定、ならびに永遠時間の創出
【産業上の利用可能性】
【００２６】基礎研究・研究開発への応用、物質、および光の保有エネルギーの正確な算定、ならびに永遠時間の創出
【手続補正書】
【提出日】平成29年8月14日(2017.8.14)
【手続補正１】
【補正対象書類名】明細書
【補正対象項目名】全文
【補正方法】変更
【補正の内容】
【発明の詳細な説明】
【技術分野】
【０００１】物理
【背景技術】
【０００２】まず、時間の概念の説明をする。時間を考えるに際して、時計盤をそのモデルとして用いる。（［図１］参照）時計盤の形状は、中心に軸があり、文字盤の周辺に時間を表す数字が記してあるが、時間は、二次元で表すと、まさに時計盤の様になっていると考えられる。つまり、軸の部分は回転せず、点の状態であり、過去も現在も未来もないが、あるいは、過去と現在と未来が凝縮された状態となっているが、周辺に近づくにつれ、時間の針の動く幅が大きくなっていく。これは、円の中心から離れるにつれて、時間の進み具合が大きくなるということを表している。【０００３】また、このことは、光速が常に一定であることの説明ともなる。そもそも、光は、その進んだ距離に関わらず、一定の光速を維持するという不可思議な現象を有していると言われている。移動する列車の中で、列車とともに移動する鏡に反射した光と、地上にある静止した鏡に反射した光は、その移動距離の差にもかかわらず、同時に出発し、同時に終点に到着することは、周知の事実である。つまり、光は、その進む距離に関わらず、一定の速度を保ち、それが進む場合、速度を一定に保つべく、時間が延び縮みするとされている。すなわち、光の進んだ距離＝時間×光速、つまり、時間＝光の進んだ距離／光速  が成り立つものと考えられているのである。この点について、本論では、光には、その進んだ距離に応じて多くの時間が発生するものと想定し、エネルギーと物質の関係について、理論を展開していく。【０００４】上述の内容を、時計盤に照らし合わせて考えると、光の有する特殊性は、時計の針が、円の周辺に近づくにつれ、長い距離を進むにもかかわらず、針の先の経過時間を針の内側と比べても、進んだ時間そのものが変わらないことや、針の内側の進む距離が針の先端の進む距離に比べると少ないことなどにも表れていることがわかる。【０００５】さらに、わかりやすい例えは、時間が水のようなものであるという発想である。時間の内在する空間を、水の入った３次元の円錐体で考え、物体が水面、または水中を進む際に生じる波打ちを時間の発生とみなす。（［図２］参照）時間とは、完全に静止している場合には流れないが、ほんのわずかであっても、動いたり進んだりすると生成される、水の波打ち、あるいは流れのようなものであるという仮説である。物体が動いたり進んだりした分だけ波打つ水の様に、物体が動いたり進んだりすると、その分だけ時間が発生する。また、水面よりは水中の方が、多くの重力がかかっているため、物質は進みにくく、その速度も遅くなる。すなわち、時間も重力のかかった分だけ、その進み具合や速度が遅くなることを意味している。つまり、水面での物質の動きが、重力のかかっていない光速の状態だとすると、水中での物質の動きは、重力のかかった光速以下の速度となっているのである。そして、円錐の頂点に近づくにつれ、重力は強くなっていく。つまり、時間の進み具合は少なくなっていく。ちなみに、いわゆる、光速が一定であるという現象は、水面上での物質の動きと、時計盤の針の動き方とを重ね合わせてみると、理解できる。ともに、重力がかかっていない状態にあるが、光は円の内側と外側という具合に、同じ時間内での針の進み具合が異な��。しかも、両者は距離が違っても、同じ時間の経過を示している。この差は、ともに無重力という条件下にあることを考慮すれば、保有エネルギーの差であるとしか考えられない。光は保有エネルギーの多い程、長い距離を進む。つまり、長い時間を経過しているのである。逆に、保有エネルギーが０の時、つまり、円の中心に位置するとき、時間は進まない。以上、これらの、時計盤と水の立方体のモデルから、時間のもつ特異な性質を想定した。それをもとに、次は、エネルギーと質量の関係について考える。【０００６】まず、エネルギーと物質の関係を式にすると、
【数１】
2018121510.tif 000081
と表すことができる。
この式は、移動する時間のそれぞれの瞬間をとらえ、そこに静止している物質の保有エネルギーの総量を表したものであると考えることもできる。質量＝エネルギーであるといわれるが、さらに、速度×時間＝距離という、いわゆる時間および空間の総量として示されているものの中に、質量というエネルギーをもった物質が連続的に存在し続けているという考えのもと、この式は構成されている。なお、理解の便宜上、速度、距離と表しているが、これは、素粒子等の運動・振動の速度、移動距離にも応用できるものとする。また、このときのｇ＝物質の進む速度／光速、すなわち、物質にかかっている重力の影響を表す。１／ｇをかけることによって、物質が実際に進むのにかかったエネルギーを算出している。この式に、上記の光と時間に関する原則を代入して計算していくと、以下のようになる。【０００７】
【数２】
2018121510.tif 000082
さらに、上の式をまとめると、
【数３】
2018121510.tif 000083
すなわち、
（１／ｇ）の２乗×物質が進んだ距離×質量＝エネルギー  となる。【０００８】
【数４】
2018121510.tif 000084
であることから、
これと、［０００６］［数１］の光と時間に関する法則を上の式に代入すると、
エネルギー＝質量×光速×時間
【数５】
2018121510.tif 000085
と表すことができる。
計算の過程は以下のとおりである。
【数６】
2018121510.tif 000086
【０００９】このとき、時間Ｔ＝光の進む時間であり、重力の影響（ｇ）がない状態で、その物質が進んだであろう時間、すなわち、物質が進むのにかかった時間×１／ｇを表す。確かに、先述の通り、いかなる重力下における時計も、その進み具合に関し、同じ時間の経過を示す。しかし、我々の時計で計った場合、光の時間Ｔの進み具合は、重力下の時計と同じではないのである。また、上の式が、特殊相対性理論における、Ｅ＝ｍｃの２乗ではなく、光速ｃの一乗に時間Ｔをかけたものであることも重要である。特殊相対性理論におけるＥ＝ｍｃの２乗は、質量ｍの物体、光速ｃ、時点０における静止エネルギーＥを表し、質量が存在するだけで観測されるエネルギーを表している。しかし、本論では、存在するということ自体、その物体が時間の経過の中にあるものと考える。よって、静止している時間というものがあればともかく、それがこの世界にない以上、時間の要素は、エネルギーを考えるうえで、不可欠のものであるということができるのである。三次元の質量に、一次元の光速と、時間を乗じると、距離を伴った立体の時空間ができるわけである。その空間内は、全て質量ｍとなっている。すなわち、その空間は、エネルギーの軌跡となっているわけである。【００１０】さらに、［０００６］の［数１］質量とエネルギーの関係式に、質量と速度の逓減という要素を取り入れて考えてみる。なぜなら、物質は、最終的には、そのエネルギーを失うことで、徐々にその質量を失い、やがては運動・進行を停止するためである。まず、質量についてであるが、質量を縦軸、物質が進む時間を横軸にとると、［図３］の関係が成立する。このとき、初めの質量はｍ１、ｘの時点での質量はｍｘ、物質が進む時間の総計はｔ、ｘの時点での時間はｔｘで表されるものとする。すると、ｘの時点での質量ｍｘは、次の式で表すことができる。
【数７】
2018121510.tif 000087
次は、速度についてであるが、速度を縦軸、物質が進む時間を横軸にとると、［図４］の関係が成立する。このとき、初めの速度はｖ１、ｘの時点での速度はｖｘ、物質が進む時間の総計はｔ、ｘの時点での時間はｔｘで表されるものとする。すると、ｘの時点での速度ｖｘは、次の式で表すことができる。
【数８】
2018121510.tif 000088
【００１１】さて、これらの式をもとに、質量とエネルギーの関係を考え直してみると、今回は、［０００６］の［数１］のような関係式、（物質の進む速度×１／ｇ）×（物質が進むのにかかった時間×１／ｇ）×質量＝エネルギー
ではなく、［数９］のように、Σを用い、物質の進む時間を１からＴまでとし、それぞれの時点における質量と速度の積の和を求めるのが適当であることがわかる。
【数９】
2018121510.tif 000089
上の式に、［数７］、［数８］に示す質量ｍｘ、および速度ｖｘの関係式を代入し、計算すると、次のようになる。
【数１０】
2018121510.tif 000090
【００１２】すなわち、［数９］に示した式は、次のように表すことができることがわかる。
【数１１】
2018121510.tif 000091
この式は、初期の質量ｍ１、および初期の速度ｖ１に、（１−ｔｘ／ｔ）の２乗、すなわち、物質が進む時間の総計から物質が進んだｘまでの時間を引いたもの；ｔ−ｔｘのｔに対する割合を２乗して、それを掛けたものである。このことは、［数９］の式の右辺に［数７］、［数８］を代入したもの、つまり、時間１からｔまでのそれぞれの時間の逓減値における質量と速度の積和が、未だ逓減を受けていない質量と速度の初期値の積；ｍ１ｖ１に、ｘの時点でその物質に残っている時間の因数を乗じたものに等しいことを示している。その意味するところは、すなわち、当式が、ｘの時点における当物質の内部に残っているエネルギー、つまり、保有エネルギーの時間１からｔまでの総和であるということである（［図５］参照）。さらに、時間の関数が２乗となっているのは、時間が二次元、つまり、平面で表されているためである。時間という性質の備わった平面と考えることもできる。［０００９］と同様、そこに一次元の線としての速度を乗じることによって、距離を伴った立体としての空間ができるわけである。また、その空間内は、全て質量ｍとなっている。すなわち、この空間もまた、エネルギーの軌跡となっているわけである。【００１３】しかし、［００１２］の［数１１］で得られた式には、重力の影響ｇという要素が取り入られていない。上の［００１１］の［数１０］の式、およびこの式は、重力のない状態におけるエネルギーの計算式であるともいえる。しかし、我々は、この世界に適用できる式を求める必要がある。そこで、以下、ｇ＝物質の進む速度／光速として、計算する。但し、当計算においては、光速についても、その消滅までの存続期間にわたって逓減してゆくものと考える。実際、光も、かなりの期間、一定の光速を有しはするが、長い距離を走行し、遂にはその保有するエネルギーを失って消滅することから、理論上、このように考えることが妥当であろう。
【数１２】
2018121510.tif 000092
ここで、時間にかかっている重力の影響も考慮する必要がある。よって、上の式は、
2018121510.tif 000093
となる。【００１４】さて、一方で、［０００６］の［数１］（物質の進む速度×１／ｇ）×（物質が進むのにかかった時間×１／ｇ）×質量＝エネルギーの式から得られた、［０００８］の［数５］エネルギー＝質量×光速×時間、という式には、逓減の要素が取り入れられていない。そこで、［００１０］の［数７］、［数８］の関係式を代入し、以下、計算する。
【数１３】
2018121510.tif 000094
【００１５】さて、ここで、［００１３］の［数１２］、［００１４］の［数１３］で得られた式の意味を確認する。得られた２式は、ともに、エネルギー＝質量（初期値）×光速（初期値）×（１−無重力にて物質が進んだ時間ｘ／無重力にて物質の進む時間）の２乗の積和となっており、一致している。これは、物質に残された時間に対応するエネルギーの分量、すなわち、その物質がｘの時点で保有しているエネルギーを表しているものといえる。また、この式から、物質は時間の経過に従って、徐々に、その保有するエネルギーを失っていくということがわかる。【００１６】また、計算結果を得ていえることは、あらゆる物質は、その保有エネルギーの速度として、光の速度を与えられているということである。確かに、光速で移動できるのは光だけである。しかし、我々、または、我々の周りの物質は、その質量や存続時間がどのようであれ、また、重力の影響を受けているとはいえ、その保有エネルギーの全てにおいて、潜在的に光速、すなわち、光の特性を有しているのである。言い換えると、我々を含め、あらゆる物質に内在するエネルギーは、光のエネルギーと何ら変わらないということなのである。また、その時間に関しても、Ｔ、ならびにＴｘという具合に、物質ではなく光の時間の基準が用いられており、あたかも、そのエネルギー計算式の態様は、「質量を伴った」光のエネルギーの計算式の如きである。これらのことから、物質には光の性質がある、あるいは、物質は質量を伴う「光」である可能性が非常に高いと言えるのである。【００１７】一方、物質の保有するエネルギーは、初期値の光速が一定であることから、その初期の質量ｍ１と、存続時間に比例しているということがわかる。存続時間Ｔ＝ｔ×１／ｇ、つまり、その物質の進む時間×１／ｇ、あるいは、Ｔ＝ｔ×ｃ／ｖ＝その物質の進む時間×光速／その物質の進む速度、であることから、その物質の進む速度ｖの値が小さければそれだけ、存続時間Ｔは大きくなる。また、光の存続時間＝光の進む距離／光速、つまり、Ｔ＝Ｓ／ｃであることから、光の進む距離Ｓ、すなわち、光の保有エネルギーが大きければそれだけ、光の存続期間Ｔも大きくなり、Ｔ×ｇ＝ｔであるところの物質の存続時間ｔも大きくなる。このことは、物質の保有エネルギーがその存続期間ｔの大きさに比例していることを意味している。（［数１４］参照）
【数１４】
2018121510.tif 000095
【００１８】この点、光の進む距離、すなわち、光の存続期間については、その保有エネルギーが唯一考えられる原因であることは先述した。そして、物質の有する光の性質についても述べた。物質は、その質量ゆえ、重力下にあるものの、光速を備えており、そのエネルギー計算も、光の時間を基準として物質に残された時間に対応するエネルギーの分量、光の性質を有しているのである。このことから、質量の影響があるとはいえ、物質の存続期間も、光と同様、保有エネルギーがその原因であることがわかる。すなわち、質量のない光に限らず、質量ゆえに重力下にある物質に関しても、その保有エネルギーを消費する運動、すなわち、「物質の進む距離」とともに「時間」が発生しているのである。例えば、質量＝０だとすると、エネルギー＝光速（初期値）×（１−光の進んだ時間／光の進む時間）の積和という式が成り立つ。（［図６］参照）このことは、エネルギー／光速≒時間であることを示している。つまり、時間とは、速度（すなわち、光速）から転じた保有エネルギーの１つの形態であると考えられるのである。物質の場合、保有エネルギーが質量×速度（すなわち、光速）から転じることとなるため、発生する時間は、質量に反比例することになる。総じて言えば、光には、その速度を通じて、また、物質には、質量とその速度（すなわち、光速）を通じて、時間が発生しているのである。さらに、質量＝０、かつ光速＝０である場合、質量、および光速を通じて発生する時間Ｔ＝０となり、それゆえ、エネルギー＝０となる。図３，５、６から考えると、この状態は、永遠時間を表していることがわかる。そして、その状態は、エネルギ＝０の地点にあることを意味している。この０地点では、時間が過去から未来へと流れることはないが、質量、光速ともに０である場合、図３、５、６に示されるように、時間は永遠に存続しているのである。よって、永遠時間の状態は、質量、および光速がゼロの状態を創出することで得られることが分かった。また、通常は過去から未来へと流れる時間を逆行させるには、物質、光、それぞれの場合において、ｔの値をマイナスとなるようにすればよい。計算式は以下の通りである。（［数１５］、［数１６］参照）
【数１５】
2018121510.tif 000096
2018121510.tif 000097
【数１６】
2018121510.tif 000098
【００１９】以上、物質、および光の保有エネルギーの算定方法、永遠時間の創出方法、ならびに逆行時間の創出方法について論じた。
【先行技術文献】
【非特許文献】
【非特許文献１】ギャリー・ガーバー（Ｇａｒｙ  Ｇａｒｂｅｒ）著、「速度と位置のグラフ」（‘Ｖｅｌｏｃｉｔｙ  ａｎｄ  Ｐｏｓｉｔｉｏｎ  Ｇｒａｐｈｓ’）、［ｏｎｌｉｎｅ］、更新日不明、［平成２９年５月１２日検索］、インターネット＜ＵＲＬ：ｈｔｔｐ：／／ｂｌｏｇｓ．ｂｕ．ｅｄｕ／ｇｇａｒｂｅｒ／ａｒｃｈｉｖｅ／ｂｕａ−ｐｈｙｓｉｃｓ／ｖｅｌｏｃｉｔｙ−ａｎｄ−ｐｏｓｉｔｉｏｎ−ｇｒａｐｈｓ／＞
【非特許文献２】マーク・ヘドリック（Ｍａｒｋ  Ｈｅａｄｒｉｃｋ）著、「質量と（温度変化を利用してぜんまいを巻く）自動巻き置き時計の時間との関係の発見」‘Ｔｏ  Ｆｉｎｄ  ｔｈｅ  Ｒｅｌａｔｉｏｎｓｈｉｐ  Ｂｅｔｗｅｅｎ  ｔｈｅ  Ｍａｓｓ  ａｎｄ  ｔｈｅ  Ｔｉｍｅｋｅｅｐｉｎｇ  ｏｆ  ｔｈｅ  Ａｔｍｏｓ  Ｃｌｏｃｋ’）、［ｏｎｌｉｎｅ］、更新日不明、［平成２９年５月１３日検索］、インターネット＜ＵＲＬ：ｈｔｔｐ：／／ｗｗｗ．ａｂｂｅｙｃｌｏｃｋ．ｃｏｍ／ａｔｍｏｓ．ｈｔｍｌ＞
【非特許文献３】アレクセイ・ギルクリスト（Ａｌｅｘｅｉ  Ｇｉｌｃｈｒｉｓｔ）著、「減衰調和振動子におけるエネルギー」（‘Ｅｎｅｒｇｙ  ｉｎ  ａ  Ｄａｍｐｅｄ  Ｈａｒｍｏｎｉｃ  Ｏｓｃｉｌｌａｔｏｒ’）、２０１４年更新、［ｏｎｌｉｎｅ］、［平成２９年５月１２日検索］、インターネット＜ＵＲＬ：ｈｔｔｐ：／／ｗｗｗ．ｅｎｔｒｏｐｙ．ｅｎｅｒｇｙ／ｓｃｈｏｌａｒ／ｎｏｄｅ／ｄａｍｐｅｄ−ｈａｒｍｏｎｉｃ−ｏｓｃｉｌｌａｔｏｒ−ｅｎｅｒｇｙ＞
【非特許文献４】ピーター・セパレー（Ｐｅｔｅｒ  Ｃｅｐｅｒｌｅｙ）著、「共振器における動力停止」（’Ｐｏｗｅｒ  Ｌｏｓｓ  ｉｎ  Ｒｅｓｏｎａｔｏｒｓ’）、２０１１年３月３１日、［ｏｎｌｉｎｅ］、［平成２９年５月１２日検索］、インターネット＜ＵＲＬ：ｈｔｔｐ：／／ｒｅｓｏｎａｎｃｅｓｗａｖｅｓａｎｄｆｉｅｌｄｓ．ｂｌｏｇｓｐｏｔ．ｊｐ／２０１１／０３／ｐｏｗｅｒ−ｌｏｓｓ−ｉｎ−ｒｅｓｏｎａｔｏｒｓ．ｈｔｍｌ＞
【非特許文献５】ダン・ヘンショー（Ｄａｎ  Ｈｅｎｓｈａｗ）著、「地球温暖化は救えるか」（’Ｇｌｏｂａｌ  Ｈｅａｔｉｎｇ  Ｓａｖｅｄ？’）、２０１６年１２月８日、［ｏｎｌｉｎｅ］、［平成２９年５月１２日検索］，インターネット＜ＵＲＬ：ｈｔｔｐｓ：／／ｃａｒｂｏｎｌｅｓｓａｉｒ．ｗｏｒｄｐｒｅｓｓ．ｃｏｍ／＞
【非特許文献６】キース・ギブス（Ｋｅｉｔｈ  Ｇｉｂｂｓ）著、「蓄電器の充放電の数理処理」（‘Ｍａｔｈｅｍａｔｉｃａｌ  ｔｒｅａｔｍｅｎｔ  ｏｆ  ｃｈａｒｇｉｎｇ  ａｎｄ  ｄｉｓｃｈａｒｇｉｎｇ  ａ  ｃａｐａｃｉｔｏｒ’）、２０１３年、［ｏｎｌｉｎｅ］、［平成２９年５月１２日検索］，インターネット＜ＵＲＬ：ｈｔｔｐ：／／ｗｗｗ．ｓｃｈｏｏｌｐｈｙｓｉｃｓ．ｃｏ．ｕｋ／ａｇｅ１６−１９／Ｅｌｅｃｔｒｉｃｉｔｙ％２０ａｎｄ％２０ｍａｇｎｅｔｉｓｍ／Ｅｌｅｃｔｒｏｓｔａｔｉｃｓ／ｔｅｘｔ／Ｃａｐａｃｉｔｏｒ＿ｃｈａｒｇｅ＿ａｎｄ＿ｄｉｓｃｈａｒｇｅ＿ｍａｔｈｅｍａｔｉｃｓ／ｉｎｄｅｘ．ｈｔｍｌ＞
【非特許文献７】リーブルテキスト・カリフォルニア大学（ＵＣＤａｖｉｓ，ＬｉｂｒｅＴｅｘｔｓ）著、「放射性崩壊」（’Ｒａｄｉｏａｃｔｉｖｅ  Ｄｅｃａｙ‘）、［ｏｎｌｉｎｅ］、更新日２０１７年２月２０日、［平成２９年５月１３日検索］、インターネット＜ＵＲＬ：ｈｔｔｐｓ：／／ｐｈｙｓ．ｌｉｂｒｅｔｅｘｔｓ．ｏｒｇ／ＴｅｘｔＭａｐｓ／Ｇｅｎｅｒａｌ＿Ｐｈｙｓｉｃｓ＿Ｔｅｘｔｍａｐｓ／Ｍａｐ％３Ａ＿Ｕｎｉｖｅｒｓｉｔｙ＿Ｐｈｙｓｉｃｓ＿（ＯｐｅｎＳｔａｘ）／Ｍａｐ％３Ａ＿Ｕｎｉｖｅｒｓｉｔｙ＿Ｐｈｙｓｉｃｓ＿ＩＩＩ＿（ＯｐｅｎＳｔａｘ）／１０％３Ａ＿Ｎｕｃｌｅａｒ＿Ｐｈｙｓｉｃｓ／１０．３％３Ａ＿Ｒａｄｉｏａｃｔｉｖｅ＿Ｄｅｃａｙ＞
【非特許文献８】ハワード・Ｓ・マティス（Ｈｏｗａｒｄ  Ｓ．Ｍａｔｉｓ）著、「放射能」（‘Ｒａｄｉｏａｃｔｉｖｉｔｙ’）、［ｏｎｌｉｎｅ］、更新日２０００年８月９日、［平成２９年５月１３日検索］、インターネット＜ＵＲＬ：ｈｔｔｐ：／／ｗｗｗ２．ｌｂｌ．ｇｏｖ／ａｂｃ／ｗａｌｌｃｈａｒｔ／ｃｈａｐｔｅｒｓ／０３／０．ｈｔｍｌ＞
【非特許文献９】ブルース・Ｎ・ホグランド著（Ｂｒｕｃｅ  Ｎ．Ｈｏｇｌｕｎｄ）、「放射エネルギー」（‘Ｒａｄｉａｔｉｏｎ！’）、１９９７年、［ｏｎｌｉｎｅ］、［平成２９年５月１３日検索］、インターネット＜ＵＲＬ：ｈｔｔｐ：／／ｍｏｌｔｅｎｓａｌｔ．ｏｒｇ．ｓ３−ｗｅｂｓｉｔｅ−ｕｓ−ｅａｓｔ−１．ａｍａｚｏｎａｗｓ．ｃｏｍ／ｒｅｆｅｒｅｎｃｅｓ／ｓｔａｔｉｃ／ｈｏｍｅ．ｅａｒｔｈｌｉｎｋ．ｎｅｔ／ｂｈｏｇｌｕｎｄ／ｒａｄｉａｔｉｏｎ＿Ｆａｃｔｓ．ｈｔｍｌ＞
【非特許文献１０】ジェファーソン・コミュニティ＆テクニカル・カレッジ（Ｊｅｆｆｅｒｓｏｎ  Ｃｏｍｍｕｎｉｔｙ  ａｎｄ  Ｔｅｃｈｎｉｃａｌ  Ｃｏｌｌｅｇｅ）著、「原子力、放射能、および現代物理」（‘Ａｔｏｍｉｃ，Ｎｕｃｌｅａｒ  ａｎｄ  Ｍｏｄｅｒｎ  Ｐｈｙｓｉｃｓ’）、［ｏｎｌｉｎｅ］、更新日不明、［平成２９年５月１３日検索］、インターネット＜ＵＲＬ：ｈｔｔｐ：／／ｌｅｇａｃｙ．ｊｅｆｆｅｒｓｏｎ．ｋｃｔｃｓ．ｅｄｕ／ｔｅｃｈｃｅｎｔｅｒ／Ｃｌａｓｓｅｓ／Ｐｈｙｓｉｃｓ／ＡｔｏｍｉｃＮｕｃｌｅａｒａｎｄＭｏｄｅｒｎＰｈｙｓｉｃｓ／ＡｔｏｍｉｃＮｕｃｌｅａｒａｎｄＭｏｄｅｒｎＰｈｙｓｉｃｓ＿ｐｒｉｎｔ．ｈｔｍｌ＞
【非特許文献１１】Ｅ．エルミス、Ｃ．セリクタス（Ｅ．Ｅ．Ｅｒｍｉｓ，Ｃ．Ｃｅｌｉｋｔａｓ）著、「ガンマ線減衰の構成要素の係数を特定する異なる方法」（‘Ａ  ｄｉｆｆｅｒｅｎｔ  Ｗａｙ  ｔｏ  Ｄｅｔｅｒｍｉｎｅ  ｔｈｅ  Ｇａｍｍａ−ｒａｙ  Ｌｉｎｅａｒ  Ａｔｔｅｎｕａｔｉｏｎ  Ｃｏｅｆｆｉｃｉｅｎｔｓ  ｏｆ  Ｍａｔｅｒｉａｌｓ’）、２０１２年、［ｏｎｌｉｎｅ］、［平成２９年５月１３日検索］、インターネット＜ＵＲＬ：ｈｔｔｐ：／／ａｒｔｉｃｌｅ．ｓａｐｕｂ．ｏｒｇ／１０．５９２３．ｊ．ｉｎｓｔｒｕｍｅｎｔ．２０１２０１０４．０１．ｈｔｍｌ＞
【非特許文献１２】ヴァシリー・Ｎ・アストラトヴ他（Ｖａｓｉｌｙ  Ｎ．Ａｓｔｒａｔｏｖ  ｅｔ  ａｌ）著、「レーザー手術のための光子超高精度微量分注装置」（’Ｐｈｏｔｏｎｉｃ  ｎａｎｏｊｅｔｓ  ｆｏｒ  ｌａｓｅｒ  ｓｕｒｇｅｒｙ’）、２０１０年３月１２日、［ｏｎｌｉｎｅ］、［平成２９年５月１３日検索］、インターネット＜ＵＲＬ：ｈｔｔｐ：／／ｓｐｉｅ．ｏｒｇ／ｎｅｗｓｒｏｏｍ／２５７８−ｐｈｏｔｏｎｉｃ−ｎａｎｏｊｅｔｓ−ｆｏｒ−ｌａｓｅｒ−ｓｕｒｇｅｒｙ＞
【非特許文献１３】ユリ・Ａ・リッビノブ他（Ｙｕｒｉ  Ａ．Ｌｉｔｖｉｎｏｖ  ｅｔ  ａｌ）著、「周期変動する電子捕獲減衰」（‘Ｏｓｃｉｌｌａｔｉｎｇ  Ｅｌｅｃｔｒｏｎ  Ｃａｐｔｕｒｅ  Ｄｅｃａｙ’）、２００８年１月１４日、［ｏｎｌｉｎｅ］、［平成２９年５月１３日検索］、インターネット＜ＵＲＬ：ｈｔｔｐ：／／ｋａｍｌａｎｄ．ｌｂｌ．ｇｏｖ／ｒｅｓｅａｒｃｈ−ｐｒｏｊｅｃｔｓ／ｏｃｓｉｌｌａｔｉｎｇ−ｅｌｅｃｔｒｏｎｓ−ｃａｐｔｕｒｅ−ｄｅｃａｙｓ−ｔｉｍｅｓ＞
【非特許文献１４】国際光工学会（Ｓｏｃｉｅｔｙ  ｏｆ  Ｐｈｏｔｏ−Ｏｐｔｉｃａｌ  Ｉｎｓｔｒｕｍｅｎｔａｔｉｏｎ  Ｅｎｇｉｎｅｅｒｓ）著、「ＦＳＯ（７５０から１５５０ｎｍの波長の微弱光信号を利用した通信システム）を適用した海岸滑昇濃霧６５０、８５０、及び９５０ｎｍにおける光減衰の測定と予測」（‘Ｍｅａｓｕｒｅｄ  ａｎｄ  ｐｒｅｄｉｃｔｅｄ  ｌｉｇｈｔ  ａｔｔｅｎｕａｔｉｏｎ  ｉｎ  ｄｅｎｓｅ  ｃｏａｓｔａｌ  ｕｐｓｌｏｐｅ  ｆｏｇ  ａｔ  ６５０，８５０，ａｎｄ  ９５０ｎｍ  ｆｏｒ  ｆｒｅｅ−ｓｐａｃｅ  ｏｐｔｉｃｓ  ａｐｐｌｉｃａｔｉｏｎｓ’），Ｍａｒｃｈ  ２６，２００８，［ｏｎｌｉｎｅ］，［平成２９年５月１３日検索］、インターネット＜ＵＲＬ：ｈｔｔｐ：／／ｏｐｔｉｃａｌｅｎｇｉｎｅｅｒｉｎｇ．ｓｐｉｅｄｉｇｉｔａｌｌｉｂｒａｒｙ．ｏｒｇ／ａｒｔｉｃｌｅ．ａｓｐｘ？ａｒｔｉｃｌｅｉｄ＝１０８８７８４♯Ｉｎｔｒｏｄｕｃｔｉｏｎ＞
【非特許文献１５】ウィキペディア（Ｗｉｋｉｐｅｄｉａ）著，「零点エネルギー」（‘Ｚｅｒｏ−ｐｏｉｎｔ  ｅｎｅｒｇｙ’），［ｏｎｌｉｎｅ］，ｌａｓｔ  ｅｄｉｔｅｄ  ｏｎ  ２８  Ａｐｒｉｌ  ２０１７，［Ｓｅａｒｃｈｅｄ  ｏｎ  Ｍａｙ  １３，２０１７］，Ｔｈｅ  Ｉｎｔｅｒｎｅｔ：＜ＵＲＬ：ｈｔｔｐｓ：／／ｅｎ．ｗｉｋｉｐｅｄｉａ．ｏｒｇ／ｗｉｋｉ／Ｚｅｒｏ−ｐｏｉｎｔ＿ｅｎｅｒｇｙ＞
【発明の概要】
【００２０】物質、および光の保有エネルギーの算定方法、永遠時間の創出方法、ならびに逆行時間の創出方法の考案。
【発明が解決しようとする課題】
【００２１】物質、および光の保有エネルギーの算定方法、永遠時間の創出方法、ならびに逆行時間の創出方法を提供すること。
【課題を解決するための手段】
【００２２】下記式［数１］を用いる、物質の保有エネルギーの算定方法。ここで、Ｅは物質の保有エネルギー、Ｔは無重力にて物質の進む時間、ｍ１は質量（初期値）、Ｃ１は光速（初期値）、Ｔｋは無重力にて物質が進んだ時間ｋである。
【数１】
2018121510.tif 000099
さらに、下記式［数２］を用いる、光の保有エネルギーの算定方法。ここで、Ｅは光の保有エネルギー、Ｔは無重力にて光の進む時間、Ｃ１は光速（初期値）、Ｔｋは無重力にて光が進んだ時間ｋである。
【数２】
2018121510.tif 000100
また、［数１］［数２］から導かれる式として、下記式［数３］が成立する。ここで、Ｅは物質、および光の保有エネルギー、ｍ１は質量（初期値）、Ｃ１は光速（初期値）、Ｔｋは無重力にて物質、あるいは光が進んだ時間ｋ、Ｔは無重力にて物質、および光が進む時間、すなわち、時間の存在そのものである。
【数３】
2018121510.tif 000101
さらに、下記式［数４］を用いる、物質の逆行時間の創出方法。ここで、Ｅは物質の保有エネルギー、Ｔは無重力にて物質の進む時間、ｍ１は質量（初期値）、Ｃ１は光速（初期値）、Ｔｋは無重力にて物質が進んだ時間ｋである。
【数４】
2018121510.tif 000102
同じく、下記式［数５］を用いる、光の逆行時間の創出方法。ここで、Ｅは光の保有エネルギー、Ｔは無重力にて光の進む時間、Ｃ１は光速（初期値）、Ｔｋは無重力にて光が進んだ時間ｋである。
【数５】
2018121510.tif 000103
【発明の効果】
【００２３】物質、および光の保有エネルギーの算定方法、永遠時間の創出方法、ならびに逆行時間の創出方法。
【図面の簡単な説明】
【００２４】
【図１】時計の時間モデル
【図２】水の時間モデル
【図３】質量の逓減のグラフ
【図４】速度の逓減のグラフ
【図５】物質の保有エネルギー量と時間のグラフ
【図６】光の保有エネルギー量と時間のグラフ
【発明を実施するための形態】
【００２５】物質、および光の保有エネルギーの正確な算定、永遠時間の創出方法、ならびに逆行時間の創出。
【産業上の利用可能性】
【００２６】基礎研究・研究開発への応用、物質、および光の保有エネルギーの正確な算定、永遠時間の創出、ならびに、逆行時間の創出。
【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
下記式［数１］を用いる、物質の保有エネルギーの算定方法。
【数１】
2018121510.tif 000104
ここで、Ｅは物質の保有エネルギー、Ｔは無重力にて物質の進む時間、ｍ１は質量（初期値）、Ｃ１は光速（初期値）、Ｔｋは無重力にて物質が進んだ時間ｋである。
【請求項２】
下記式［数２］を用いる、光の保有エネルギーの算定方法。
【数２】
2018121510.tif 000105
ここで、Ｅは光の保有エネルギー、Ｔは無重力にて光の進む時間、Ｃ１は光速（初期値）、Ｔｋは無重力にて光が進んだ時間ｋである。
【請求項３】
下記式［数３］を用いる、永遠時間の創出方法。
【数３】
2018121510.tif 000106
ここで、Ｅは物質、あるいは光の保有エネルギー、ｍ１は質量（初期値）、Ｃ１は光速（初期値）、Ｔｋは無重力にて物質、あるいは光が進んだ時間ｋ、Ｔは無重力にて物質、あるいは光が進む時間、すなわち、時間の存在そのものである。
【請求項４】
下記式［数４］を用いる、物質の逆行時間の創出方法。
【数４】
2018121510.tif 000107
ここで、Ｅは物質の保有エネルギー、Ｔは無重力にて物質の進む時間、ｍ１は質量（初期値）、Ｃ１は光速（初期値）、Ｔｋは無重力にて物質が進んだ時間ｋである。
【請求項５】
下記式［数５］を用いる、光の逆行時間の創出方法。
【数５】
2018121510.tif 000108
ここで、Ｅは光の保有エネルギー、Ｔは無重力にて光の進む時間、Ｃ１は光速（初期値）、Ｔｋは無重力にて光が進んだ時間ｋである。
【手続補正書】
【提出日】平成29年9月7日(2017.9.7)
【手続補正１】
【補正対象書類名】明細書
【補正対象項目名】全文
【補正方法】変更
【補正の内容】
【発明の詳細な説明】
【技術分野】
【０００１】物理
【背景技術】
【０００２】まず、時間の概念の説明をする。時間を考えるに際して、時計盤をそのモデルとして用いる。（［図１］参照）時計盤の形状は、中心に軸があり、文字盤の周辺に時間を表す数字が記してあるが、時間は、二次元で表すと、まさに時計盤の様になっていると考えられる。つまり、軸の部分は回転せず、点の状態であり、過去も現在も未来もないが、あるいは、過去と現在と未来が凝縮された状態となっているが、周辺に近づくにつれ、時間の針の動く幅が大きくなっていく。これは、円の中心から離れるにつれて、時間の進み具合が大きくなるということを表している。【０００３】また、このことは、光速が常に一定であることの説明ともなる。そもそも、光は、その進んだ距離に関わらず、一定の光速を維持するという不可思議な現象を有していると言われている。移動する列車の中で、列車とともに移動する鏡に反射した光と、地上にある静止した鏡に反射した光は、その移動距離の差にもかかわらず、同時に出発し、同時に終点に到着することは、周知の事実である。つまり、光は、その進む距離に関わらず、一定の速度を保ち、それが進む場合、速度を一定に保つべく、時間が延び縮みするとされている。すなわち、光の進んだ距離＝時間×光速、つまり、時間＝光の進んだ距離／光速  が成り立つものと考えられているのである。この点について、本論では、光には、その進んだ距離に応じて多くの時間が発生するものと想定し、エネルギーと物質の関係について、理論を展開していく。【０００４】上述の内容を、時計盤に照らし合わせて考えると、光の有する特殊性は、時計の針が、円の周辺に近づくにつれ、長い距離を進むにもかかわらず、針の先の経過時間を針の内側と比べても、進んだ時間そのものが変わらないことや、針の内側の進む距離が針の先端の進む距離に比べると少ないことなどにも表れていることがわかる。【０００５】さらに、わかりやすい例えは、時間が水のようなものであるという発想である。時間の内在する空間を、水の入った３次元の円錐体で考え、物体が水面、または水中を進む際に生じる波打ちを時間の発生とみなす。（［図２］参照）時間とは、完全に静止している場合には流れないが、ほんのわずかであっても、動いたり進んだりすると生成される、水の波打ち、あるいは流れのようなものであるという仮説である。物体が動いたり進んだりした分だけ波打つ水の様に、物体が動いたり進んだりすると、その分だけ時間が発生する。また、水面よりは水中の方が、多くの重力がかかっているため、物質は進みにくく、その速度も遅くなる。すなわち、時間も重力のかかった分だけ、その進み具合や速度が遅くなることを意味している。つまり、水面での物質の動きが、重力のかかっていない光速の状態だとすると、水中での物質の動きは、重力のかかった光速以下の速度となっているのである。そして、円錐の頂点に近づくにつれ、重力は強くなっていく。つまり、時間の進み具合は少なくなっていく。ちなみに、いわゆる、光速が一定であるという現象は、水面上での物質の動きと、時計盤の針の動き方とを重ね合わせてみると、理解できる。ともに、重力がかかっていない状態にあるが、光は円の内側と外側という具合に、同じ時間内での針の進み具合が異な��。しかも、両者は距離が違っても、同じ時間の経過を示している。この差は、ともに無重力という条件下にあることを考慮すれば、保有エネルギーの差であるとしか考えられない。光は保有エネルギーの多い程、長い距離を進む。つまり、長い時間を経過しているのである。逆に、保有エネルギーが０の時、つまり、円の中心に位置するとき、時間は進まない。以上、これらの、時計盤と水の立方体のモデルから、時間のもつ特異な性質を想定した。それをもとに、次は、エネルギーと質量の関係について考える。【０００６】まず、エネルギーと物質の関係を式にすると、
【数１】
2018121510.tif 000109
と表すことができる。
この式は、移動する時間のそれぞれの瞬間をとらえ、そこに静止している物質の保有エネルギーの総量を表したものであると考えることもできる。質量＝エネルギーであるといわれるが、さらに、速度×時間＝距離という、いわゆる時間および空間の総量として示されているものの中に、質量というエネルギーをもった物質が連続的に存在し続けているという考えのもと、この式は構成されている。なお、理解の便宜上、速度、距離と表しているが、これは、素粒子等の運動・振動の速度、移動距離にも応用できるものとする。また、このときのｇ＝物質の進む速度／光速、すなわち、物質にかかっている重力の影響を表す。１／ｇをかけることによって、物質が実際に進むのにかかったエネルギーを算出している。この式に、上記の光と時間に関する原則を代入して計算していくと、以下のようになる。【０００７】
【数２】
2018121510.tif 000110
さらに、上の式をまとめると、
【数３】
2018121510.tif 000111
すなわち、
（１／ｇ）の２乗×物質が進んだ距離×質量＝エネルギー  となる。【０００８】
【数４】
2018121510.tif 000112
であることから、
これと、［０００６］［数１］の光と時間に関する法則を上の式に代入すると、
エネルギー＝質量×光速×時間
【数５】
2018121510.tif 000113
と表すことができる。
計算の過程は以下のとおりである。
【数６】
2018121510.tif 000114
【０００９】このとき、時間Ｔ＝光の進む時間であり、重力の影響（ｇ）がない状態で、その物質が進んだであろう時間、すなわち、物質が進むのにかかった時間×１／ｇを表す。確かに、先述の通り、いかなる重力下における時計も、その進み具合に関し、同じ時間の経過を示す。しかし、我々の時計で計った場合、光の時間Ｔの進み具合は、重力下の時計と同じではないのである。また、上の式が、特殊相対性理論における、Ｅ＝ｍｃの２乗ではなく、光速ｃの一乗に時間Ｔをかけたものであることも重要である。特殊相対性理論におけるＥ＝ｍｃの２乗は、質量ｍの物体、光速ｃ、時点０における静止エネルギーＥを表し、質量が存在するだけで観測されるエネルギーを表している。しかし、本論では、存在するということ自体、その物体が時間の経過の中にあるものと考える。よって、静止している時間というものがあればともかく、それがこの世界にない以上、時間の要素は、エネルギーを考えるうえで、不可欠のものであるということができるのである。三次元の質量に、一次元の光速と、時間を乗じると、距離を伴った立体の時空間ができるわけである。その空間内は、全て質量ｍとなっている。すなわち、その空間は、エネルギーの軌跡となっているわけである。【００１０】さらに、［０００６］の［数１］質量とエネルギーの関係式に、質量と速度の逓減という要素を取り入れて考えてみる。なぜなら、物質は、最終的には、そのエネルギーを失うことで、徐々にその質量を失い、やがては運動・進行を停止するためである。まず、質量についてであるが、質量を縦軸、物質が進む時間を横軸にとると、［図３］の関係が成立する。このとき、初めの質量はｍ１、ｘの時点での質量はｍｘ、物質が進む時間の総計はｔ、ｘの時点での時間はｔｘで表されるものとする。すると、ｘの時点での質量ｍｘは、次の式で表すことができる。
【数７】
2018121510.tif 000115
次は、速度についてであるが、速度を縦軸、物質が進む時間を横軸にとると、［図４］の関係が成立する。このとき、初めの速度はｖ１、ｘの時点での速度はｖｘ、物質が進む時間の総計はｔ、ｘの時点での時間はｔｘで表されるものとする。すると、ｘの時点での速度ｖｘは、次の式で表すことができる。
【数８】
2018121510.tif 000116
【００１１】さて、これらの式をもとに、質量とエネルギーの関係を考え直してみると、今回は、［０００６］の［数１］のような関係式、（物質の進む速度×１／ｇ）×（物質が進むのにかかった時間×１／ｇ）×質量＝エネルギー
ではなく、［数９］のように、Σを用い、物質の進む時間を１からＴまでとし、それぞれの時点における質量と速度の積の和を求めるのが適当であることがわかる。
【数９】
2018121510.tif 000117
上の式に、［数７］、［数８］に示す質量ｍｘ、および速度ｖｘの関係式を代入し、計算すると、次のようになる。
【数１０】
2018121510.tif 000118
【００１２】すなわち、［数９］に示した式は、次のように表すことができることがわかる。
【数１１】
2018121510.tif 000119
この式は、初期の質量ｍ１、および初期の速度ｖ１に、（１−ｔｘ／ｔ）の２乗、すなわち、物質が進む時間の総計から物質が進んだｘまでの時間を引いたもの；ｔ−ｔｘのｔに対する割合を２乗して、それを掛けたものである。このことは、［数９］の式の右辺に［数７］、［数８］を代入したもの、つまり、時間１からｔまでのそれぞれの時間の逓減値における質量と速度の積和が、未だ逓減を受けていない質量と速度の初期値の積；ｍ１ｖ１に、ｘの時点でその物質に残っている時間の因数を乗じたものに等しいことを示している。その意味するところは、すなわち、当式が、ｘの時点における当物質の内部に残っているエネルギー、つまり、保有エネルギーの時間１からｔまでの総和であるということである（［図５］参照）。さらに、時間の関数が２乗となっているのは、時間が二次元、つまり、平面で表されているためである。時間という性質の備わった平面と考えることもできる。［０００９］と同様、そこに一次元の線としての速度を乗じることによって、距離を伴った立体としての空間ができるわけである。また、その空間内は、全て質量ｍとなっている。すなわち、この空間もまた、エネルギーの軌跡となっているわけである。【００１３】しかし、［００１２］の［数１１］で得られた式には、重力の影響ｇという要素が取り入られていない。上の［００１１］の［数１０］の式、およびこの式は、重力のない状態におけるエネルギーの計算式であるともいえる。しかし、我々は、この世界に適用できる式を求める必要がある。そこで、以下、ｇ＝物質の進む速度／光速として、計算する。但し、当計算においては、光速についても、その消滅までの存続期間にわたって逓減してゆくものと考える。実際、光も、かなりの期間、一定の光速を有しはするが、長い距離を走行し、遂にはその保有するエネルギーを失って消滅することから、理論上、このように考えることが妥当であろう。
【数１２】
2018121510.tif 000120
ここで、時間にかかっている重力の影響も考慮する必要がある。よって、上の式は、
2018121510.tif 000121
となる。【００１４】さて、一方で、［０００６］の［数１］（物質の進む速度×１／ｇ）×（物質が進むのにかかった時間×１／ｇ）×質量＝エネルギーの式から得られた、［０００８］の［数５］エネルギー＝質量×光速×時間、という式には、逓減の要素が取り入れられていない。そこで、［００１０］の［数７］、［数８］の関係式を代入し、以下、計算する。
【数１３】
2018121510.tif 000122
【００１５】さて、ここで、［００１３］の［数１２］、［００１４］の［数１３］で得られた式の意味を確認する。得られた２式は、ともに、エネルギー＝質量（初期値）×光速（初期値）×（１−無重力にて物質が進んだ時間ｘ／無重力にて物質の進む時間）の２乗の積和となっており、一致している。これは、物質に残された時間に対応するエネルギーの分量、すなわち、その物質がｘの時点で保有しているエネルギーを表しているものといえる。また、この式から、物質は時間の経過に従って、徐々に、その保有するエネルギーを失っていくということがわかる。【００１６】また、計算結果を得ていえることは、あらゆる物質は、その保有エネルギーの速度として、光の速度を与えられているということである。確かに、光速で移動できるのは光だけである。しかし、我々、または、我々の周りの物質は、その質量や存続時間がどのようであれ、また、重力の影響を受けているとはいえ、その保有エネルギーの全てにおいて、潜在的に光速、すなわち、光の特性を有しているのである。言い換えると、我々を含め、あらゆる物質に内在するエネルギーは、光のエネルギーと何ら変わらないということなのである。また、その時間に関しても、Ｔ、ならびにＴｘという具合に、物質ではなく光の時間の基準が用いられており、あたかも、そのエネルギー計算式の態様は、「質量を伴った」光のエネルギーの計算式の如きである。これらのことから、物質には光の性質がある、あるいは、物質は質量を伴う「光」である可能性が非常に高いと言えるのである。【００１７】一方、物質の保有するエネルギーは、初期値の光速が一定であることから、その初期の質量ｍ１と、存続時間に比例しているということがわかる。存続時間Ｔ＝ｔ×１／ｇ、つまり、その物質の進む時間×１／ｇ、あるいは、Ｔ＝ｔ×ｃ／ｖ＝その物質の進む時間×光速／その物質の進む速度、であることから、その物質の進む速度ｖの値が小さければそれだけ、存続時間Ｔは大きくなる。また、光の存続時間＝光の進む距離／光速、つまり、Ｔ＝Ｓ／ｃであることから、光の進む距離Ｓ、すなわち、光の保有エネルギーが大きければそれだけ、光の存続期間Ｔも大きくなり、Ｔ×ｇ＝ｔであるところの物質の存続時間ｔも大きくなる。このことは、物質の保有エネルギーがその存続期間ｔの大きさに比例していることを意味している。（［数１４］参照）
【数１４】
2018121510.tif 000123
【００１８】この点、光の進む距離、すなわち、光の存続期間については、その保有エネルギーが唯一考えられる原因であることは先述した。そして、物質の有する光の性質についても述べた。物質は、その質量ゆえ、重力下にあるものの、光速を備えており、そのエネルギー計算も、光の時間を基準として物質に残された時間に対応するエネルギーの分量、光の性質を有しているのである。このことから、質量の影響があるとはいえ、物質の存続期間も、光と同様、保有エネルギーがその原因であることがわかる。すなわち、質量のない光に限らず、質量ゆえに重力下にある物質に関しても、その保有エネルギーを消費する運動、すなわち、「物質の進む距離」とともに「時間」が発生しているのである。例えば、質量＝０だとすると、エネルギー＝光速（初期値）×（１−光の進んだ時間／光の進む時間）の積和という式が成り立つ。（［図６］参照）このことは、エネルギー／光速≒時間であることを示している。つまり、時間とは、速度（すなわち、光速）から転じた保有エネルギーの１つの形態であると考えられるのである。物質の場合、保有エネルギーが質量×速度（すなわち、光速）から転じることとなるため、発生する時間は、質量に反比例することになる。総じて言えば、光には、その速度を通じて、また、物質には、質量とその速度（すなわち、光速）を通じて、時間が発生しているのである。さらに、質量＝０、かつ光速＝０である場合、質量、および光速を通じて発生する時間Ｔ＝０となり、それゆえ、エネルギー＝０となる。図３，５、６から考えると、この状態は、永遠時間を表していることがわかる。そして、その状態は、エネルギ＝０の地点にあることを意味している。この０地点では、時間が過去から未来へと流れることはないが、質量、光速ともに０である場合、図３、５、６に示されるように、時間は永遠に存続しているのである。よって、永遠時間の状態は、質量、および光速がゼロの状態を創出することで得られることが分かった。また、通常は過去から未来へと流れる時間を逆行させるには、物質、光、それぞれの場合において、ｔの値をマイナスとなるようにすればよい。計算式は以下の通りである。（［数１５］、［数１６］参照）
【数１５】
2018121510.tif 000124
2018121510.tif 000125
【数１６】
2018121510.tif 000126
【００１９】以上、物質、および光の保有エネルギーの算定方法、永遠時間の創出方法、ならびに逆行時間の創出方法について論じた。
【先行技術文献】
【非特許文献】
【非特許文献１】ギャリー・ガーバー（Ｇａｒｙ  Ｇａｒｂｅｒ）著、「速度と位置のグラフ」（‘Ｖｅｌｏｃｉｔｙ  ａｎｄ  Ｐｏｓｉｔｉｏｎ  Ｇｒａｐｈｓ’）、［ｏｎｌｉｎｅ］、更新日不明、［平成２９年５月１２日検索］、インターネット＜ＵＲＬ：ｈｔｔｐ：／／ｂｌｏｇｓ．ｂｕ．ｅｄｕ／ｇｇａｒｂｅｒ／ａｒｃｈｉｖｅ／ｂｕａ−ｐｈｙｓｉｃｓ／ｖｅｌｏｃｉｔｙ−ａｎｄ−ｐｏｓｉｔｉｏｎ−ｇｒａｐｈｓ／＞
【非特許文献２】マーク・ヘドリック（Ｍａｒｋ  Ｈｅａｄｒｉｃｋ）著、「質量と（温度変化を利用してぜんまいを巻く）自動巻き置き時計の時間との関係の発見」（‘Ｔｏ  Ｆｉｎｄ  ｔｈｅ  Ｒｅｌａｔｉｏｎｓｈｉｐ  Ｂｅｔｗｅｅｎ  ｔｈｅ  Ｍａｓｓ  ａｎｄ  ｔｈｅ  Ｔｉｍｅｋｅｅｐｉｎｇ  ｏｆ  ｔｈｅ  Ａｔｍｏｓ  Ｃｌｏｃｋ’）、［ｏｎｌｉｎｅ］、更新日不明、［平成２９年５月１３日検索］、インターネット＜ＵＲＬ：ｈｔｔｐ：／／ｗｗｗ．ａｂｂｅｙｃｌｏｃｋ．ｃｏｍ／ａｔｍｏｓ．ｈｔｍｌ＞
【非特許文献３】アレクセイ・ギルクリスト（Ａｌｅｘｅｉ  Ｇｉｌｃｈｒｉｓｔ）著、「減衰調和振動子におけるエネルギー」（‘Ｅｎｅｒｇｙ  ｉｎ  ａ  Ｄａｍｐｅｄ  Ｈａｒｍｏｎｉｃ  Ｏｓｃｉｌｌａｔｏｒ’）、２０１４年更新、［ｏｎｌｉｎｅ］、［平成２９年５月１２日検索］、インターネット＜ＵＲＬ：ｈｔｔｐ：／／ｗｗｗ．ｅｎｔｒｏｐｙ．ｅｎｅｒｇｙ／ｓｃｈｏｌａｒ／ｎｏｄｅ／ｄａｍｐｅｄ−ｈａｒｍｏｎｉｃ−ｏｓｃｉｌｌａｔｏｒ−ｅｎｅｒｇｙ＞
【非特許文献４】ピーター・セパレー（Ｐｅｔｅｒ  Ｃｅｐｅｒｌｅｙ）著、「共振器における動力停止」（‘Ｐｏｗｅｒ  Ｌｏｓｓ  ｉｎ  Ｒｅｓｏｎａｔｏｒｓ’）、２０１１年３月３１日、［ｏｎｌｉｎｅ］、［平成２９年５月１２日検索］、インターネット＜ＵＲＬ：ｈｔｔｐ：／／ｒｅｓｏｎａｎｃｅｓｗａｖｅｓａｎｄｆｉｅｌｄｓ．ｂｌｏｇｓｐｏｔ．ｊｐ／２０１１／０３／ｐｏｗｅｒ−ｌｏｓｓ−ｉｎ−ｒｅｓｏｎａｔｏｒｓ．ｈｔｍｌ＞
【非特許文献５】ダン・ヘンショー（Ｄａｎ  Ｈｅｎｓｈａｗ）著、「地球温暖化は救えるか」（’Ｇｌｏｂａｌ  Ｈｅａｔｉｎｇ  Ｓａｖｅｄ？’）、２０１６年１２月８日、［ｏｎｌｉｎｅ］、［平成２９年５月１２日検索］，インターネット＜ＵＲＬ：ｈｔｔｐｓ：／／ｃａｒｂｏｎｌｅｓｓａｉｒ．ｗｏｒｄｐｒｅｓｓ．ｃｏｍ／＞
【非特許文献６】キース・ギブス（Ｋｅｉｔｈ  Ｇｉｂｂｓ）著、「蓄電器の充放電の数理処理」（‘Ｍａｔｈｅｍａｔｉｃａｌ  ｔｒｅａｔｍｅｎｔ  ｏｆ  ｃｈａｒｇｉｎｇ  ａｎｄ  ｄｉｓｃｈａｒｇｉｎｇ  ａ  ｃａｐａｃｉｔｏｒ’）、２０１３年、［ｏｎｌｉｎｅ］、［平成２９年５月１２日検索］，インターネット＜ＵＲＬ：ｈｔｔｐ：／／ｗｗｗ．ｓｃｈｏｏｌｐｈｙｓｉｃｓ．ｃｏ．ｕｋ／ａｇｅ１６−１９／Ｅｌｅｃｔｒｉｃｉｔｙ％２０ａｎｄ％２０ｍａｇｎｅｔｉｓｍ／Ｅｌｅｃｔｒｏｓｔａｔｉｃｓ／ｔｅｘｔ／Ｃａｐａｃｉｔｏｒ＿ｃｈａｒｇｅ＿ａｎｄ＿ｄｉｓｃｈａｒｇｅ＿ｍａｔｈｅｍａｔｉｃｓ／ｉｎｄｅｘ．ｈｔｍｌ＞
【非特許文献７】リーブルテキスト・カリフォルニア大学（ＵＣＤａｖｉｓ，ＬｉｂｒｅＴｅｘｔｓ）著、「放射性崩壊」（‘Ｒａｄｉｏａｃｔｉｖｅ  Ｄｅｃａｙ’）、［ｏｎｌｉｎｅ］、更新日２０１７年２月２０日、［平成２９年５月１３日検索］、インターネット＜ＵＲＬ：ｈｔｔｐｓ：／／ｐｈｙｓ．ｌｉｂｒｅｔｅｘｔｓ．ｏｒｇ／ＴｅｘｔＭａｐｓ／Ｇｅｎｅｒａｌ＿Ｐｈｙｓｉｃｓ＿Ｔｅｘｔｍａｐｓ／Ｍａｐ％３Ａ＿Ｕｎｉｖｅｒｓｉｔｙ＿Ｐｈｙｓｉｃｓ＿（ＯｐｅｎＳｔａｘ）／Ｍａｐ％３Ａ＿Ｕｎｉｖｅｒｓｉｔｙ＿Ｐｈｙｓｉｃｓ＿ＩＩＩ＿（ＯｐｅｎＳｔａｘ）／１０％３Ａ＿Ｎｕｃｌｅａｒ＿Ｐｈｙｓｉｃｓ／１０．３％３Ａ＿Ｒａｄｉｏａｃｔｉｖｅ＿Ｄｅｃａｙ＞
【非特許文献８】ハワード・Ｓ・マティス（Ｈｏｗａｒｄ  Ｓ．Ｍａｔｉｓ）著、「放射能」（‘Ｒａｄｉｏａｃｔｉｖｉｔｙ’）、［ｏｎｌｉｎｅ］、更新日２０００年８月９日、［平成２９年５月１３日検索］、インターネット＜ＵＲＬ：ｈｔｔｐ：／／ｗｗｗ２．ｌｂｌ．ｇｏｖ／ａｂｃ／ｗａｌｌｃｈａｒｔ／ｃｈａｐｔｅｒｓ／０３／０．ｈｔｍｌ＞
【非特許文献９】ブルース・Ｎ・ホグランド著（Ｂｒｕｃｅ  Ｎ．Ｈｏｇｌｕｎｄ）、「放射エネルギー」（‘Ｒａｄｉａｔｉｏｎ！’）、１９９７年、［ｏｎｌｉｎｅ］、［平成２９年５月１３日検索］、インターネット＜ＵＲＬ：ｈｔｔｐ：／／ｍｏｌｔｅｎｓａｌｔ．ｏｒｇ．ｓ３−ｗｅｂｓｉｔｅ−ｕｓ−ｅａｓｔ−１．ａｍａｚｏｎａｗｓ．ｃｏｍ／ｒｅｆｅｒｅｎｃｅｓ／ｓｔａｔｉｃ／ｈｏｍｅ．ｅａｒｔｈｌｉｎｋ．ｎｅｔ／ｂｈｏｇｌｕｎｄ／ｒａｄｉａｔｉｏｎ＿Ｆａｃｔｓ．ｈｔｍｌ＞
【非特許文献１０】ジェファーソン・コミュニティ＆テクニカル・カレッジ（Ｊｅｆｆｅｒｓｏｎ  Ｃｏｍｍｕｎｉｔｙ  ａｎｄ  Ｔｅｃｈｎｉｃａｌ  Ｃｏｌｌｅｇｅ）著、「原子力、放射能、および現代物理」（‘Ａｔｏｍｉｃ，Ｎｕｃｌｅａｒ  ａｎｄ  Ｍｏｄｅｒｎ  Ｐｈｙｓｉｃｓ’）、［ｏｎｌｉｎｅ］、更新日不明、［平成２９年５月１３日検索］、インターネット＜ＵＲＬ：ｈｔｔｐ：／／ｌｅｇａｃｙ．ｊｅｆｆｅｒｓｏｎ．ｋｃｔｃｓ．ｅｄｕ／ｔｅｃｈｃｅｎｔｅｒ／Ｃｌａｓｓｅｓ／Ｐｈｙｓｉｃｓ／ＡｔｏｍｉｃＮｕｃｌｅａｒａｎｄＭｏｄｅｒｎＰｈｙｓｉｃｓ／ＡｔｏｍｉｃＮｕｃｌｅａｒａｎｄＭｏｄｅｒｎＰｈｙｓｉｃｓ＿ｐｒｉｎｔ．ｈｔｍｌ＞
【非特許文献１１】Ｅ．エルミス、Ｃ．セリクタス（Ｅ．Ｅ．Ｅｒｍｉｓ，Ｃ．Ｃｅｌｉｋｔａｓ）著、「ガンマ線減衰の構成要素の係数を特定する異なる方法」（‘Ａ  ｄｉｆｆｅｒｅｎｔ  Ｗａｙ  ｔｏ  Ｄｅｔｅｒｍｉｎｅ  ｔｈｅ  Ｇａｍｍａ−ｒａｙ  Ｌｉｎｅａｒ  Ａｔｔｅｎｕａｔｉｏｎ  Ｃｏｅｆｆｉｃｉｅｎｔｓ  ｏｆ  Ｍａｔｅｒｉａｌｓ’）、２０１２年、［ｏｎｌｉｎｅ］、［平成２９年５月１３日検索］、インターネット＜ＵＲＬ：ｈｔｔｐ：／／ａｒｔｉｃｌｅ．ｓａｐｕｂ．ｏｒｇ／１０．５９２３．ｊ．ｉｎｓｔｒｕｍｅｎｔ．２０１２０１０４．０１．ｈｔｍｌ＞
【非特許文献１２】ヴァシリー・Ｎ・アストラトヴ他（Ｖａｓｉｌｙ  Ｎ．Ａｓｔｒａｔｏｖ  ｅｔ  ａｌ）著、「レーザー手術のための光子超高精度微量分注装置」（‘Ｐｈｏｔｏｎｉｃ  ｎａｎｏｊｅｔｓ  ｆｏｒ  ｌａｓｅｒ  ｓｕｒｇｅｒｙ’）、２０１０年３月１２日、［ｏｎｌｉｎｅ］、［平成２９年５月１３日検索］、インターネット＜ＵＲＬ：ｈｔｔｐ：／／ｓｐｉｅ．ｏｒｇ／ｎｅｗｓｒｏｏｍ／２５７８−ｐｈｏｔｏｎｉｃ−ｎａｎｏｊｅｔｓ−ｆｏｒ−ｌａｓｅｒ−ｓｕｒｇｅｒｙ〉＞
【非特許文献１３】ユリ・Ａ・リッビノブ他（Ｙｕｒｉ  Ａ．Ｌｉｔｖｉｎｏｖ  ｅｔ  ａｌ）著、「周期変動する電子捕獲減衰」（‘Ｏｓｃｉｌｌａｔｉｎｇ  Ｅｌｅｃｔｒｏｎ  Ｃａｐｔｕｒｅ  Ｄｅｃａｙ’）、２００８年１月１４日、［ｏｎｌｉｎｅ］、［平成２９年５月１３日検索］、インターネット＜ＵＲＬ：ｈｔｔｐ：／／ｋａｍｌａｎｄ．ｌｂｌ．ｇｏｖ／ｒｅｓｅａｒｃｈ−ｐｒｏｊｅｃｔｓ／ｏｃｓｉｌｌａｔｉｎｇ−ｅｌｅｃｔｒｏｎｓ−ｃａｐｔｕｒｅ−ｄｅｃａｙｓ−ｔｉｍｅｓ＞
【非特許文献１４】国際光工学会（Ｓｏｃｉｅｔｙ  ｏｆ  Ｐｈｏｔｏ−Ｏｐｔｉｃａｌ  Ｉｎｓｔｒｕｍｅｎｔａｔｉｏｎ  Ｅｎｇｉｎｅｅｒｓ）著、「ＦＳＯ（７５０から１５５０ｎｍの波長の微弱光信号を利用した通信システム）を適用した海岸滑昇濃霧６５０、８５０、及び９５０ｎｍにおける光減衰の測定と予測」（‘Ｍｅａｓｕｒｅｄ  ａｎｄ  ｐｒｅｄｉｃｔｅｄ  ｌｉｇｈｔ  ａｔｔｅｎｕａｔｉｏｎ  ｉｎ  ｄｅｎｓｅ  ｃｏａｓｔａｌ  ｕｐｓｌｏｐｅ  ｆｏｇ  ａｔ  ６５０，８５０，ａｎｄ  ９５０ｎｍ  ｆｏｒ  ｆｒｅｅ−ｓｐａｃｅ  ｏｐｔｉｃｓ  ａｐｐｌｉｃａｔｉｏｎｓ’），Ｍａｒｃｈ  ２６，２００８，［ｏｎｌｉｎｅ］，［平成２９年５月１３日検索］、インターネット＜ＵＲＬ：ｈｔｔｐ：／／ｏｐｔｉｃａｌｅｎｇｉｎｅｅｒｉｎｇ．ｓｐｉｅｄｉｇｉｔａｌｌｉｂｒａｒｙ．ｏｒｇ／ａｒｔｉｃｌｅ．ａｓｐｘ？ａｒｔｉｃｌｅｉｄ＝１０８８７８４＃Ｉｎｔｒｏｄｕｃｔｉｏｎ＞
【非特許文献１５】ウィキペディア（Ｗｉｋｉｐｅｄｉａ）著，「零点エネルギー」（‘Ｚｅｒｏ−ｐｏｉｎｔ  ｅｎｅｒｇｙ’），［ｏｎｌｉｎｅ］，ｌａｓｔ  ｅｄｉｔｅｄ  ｏｎ  ２８  Ａｐｒｉｌ  ２０１７，［Ｓｅａｒｃｈｅｄ  ｏｎ  Ｍａｙ  １３，２０１７］，Ｔｈｅ  Ｉｎｔｅｒｎｅｔ：＜ＵＲＬ：ｈｔｔｐｓ：／／ｅｎ．ｗｉｋｉｐｅｄｉａ．ｏｒｇ／ｗｉｋｉ／Ｚｅｒｏ−ｐｏｉｎｔ＿ｅｎｅｒｇｙ＞
【発明の概要】
【００２０】物質、および光の保有エネルギーの算定方法、永遠時間の創出方法、ならびに逆行時間の創出方法の考案。
【発明が解決しようとする課題】
【００２１】物質、および光の保有エネルギーの算定方法、永遠時間の創出方法、ならびに逆行時間の創出方法を提供すること。
【課題を解決するための手段】
【００２２】下記式［数１］を用いる、物質の保有エネルギーの算定方法。ここで、Ｅは物質の保有エネルギー、Ｔは無重力にて物質の進む時間、ｍ１は質量（初期値）、Ｃ１は光速（初期値）、Ｔｋは無重力にて物質が進んだ時間ｋである。
【数１】
2018121510.tif 000127
さらに、下記式［数２］を用いる、光の保有エネルギーの算定方法。ここで、Ｅは光の保有エネルギー、Ｔは無重力にて光の進む時間、Ｃ１は光速（初期値）、Ｔｋは無重力にて光が進んだ時間ｋである。
【数２】
2018121510.tif 000128
また、［数１］［数２］から導かれる式として、下記式［数３］が成立する。ここで、Ｅは物質、および光の保有エネルギー、ｍ１は質量（初期値）、Ｃ１は光速（初期値）、Ｔｋは無重力にて物質、あるいは光が進んだ時間ｋ、Ｔは無重力にて物質、および光が進む時間、すなわち、時間の存在そのものである。
【数３】
2018121510.tif 000129
さらに、下記式［数４］を用いる、物質の逆行時間の創出方法。ここで、Ｅは物質の保有エネルギー、Ｔは無重力にて物質の進む時間、ｍ１は質量（初期値）、Ｃ１は光速（初期値）、Ｔｋは無重力にて物質が進んだ時間ｋである。
【数４】
2018121510.tif 000130
同じく、下記式［数５］を用いる、光の逆行時間の創出方法。ここで、Ｅは光の保有エネルギー、Ｔは無重力にて光の進む時間、Ｃ１は光速（初期値）、Ｔｋは無重力にて光が進んだ時間ｋである。
【数５】
2018121510.tif 000131
【発明の効果】
【００２３】物質、および光の保有エネルギーの算定方法、永遠時間の創出方法、ならびに逆行時間の創出方法。
【図面の簡単な説明】
【００２４】
【図１】時計の時間モデル
【図２】水の時間モデル
【図３】質量の逓減のグラフ
【図４】速度の逓減のグラフ
【図５】物質の保有エネルギー量と時間のグラフ
【図６】光の保有エネルギー量と時間のグラフ
【発明を実施するための形態】
【００２５】物質、および光の保有エネルギーの正確な算定、永遠時間の創出、ならびに逆行時間の創出。
【産業上の利用可能性】
【００２６】基礎研究・研究開発への応用、物質、および光の保有エネルギーの正確な算定、永遠時間の創出、ならびに、逆行時間の創出。